(57)【要約】  叙述情報ファイルの選定、管理、共有及び表示を担うシステムにて、叙述、制作者及び受信者に対しその叙述情報ファイルが呈する脈絡的な重要性を勘案してそれを実行する。叙述対象に対する重要性に絶対的及び相対的意義を置いていて、制作者及び受信者による回想を刺激するのに役立つシステムであるため、様々な出来事がより忘れがたいものになる。これは、本発明のシステムの使用で得られる結果の品質やその使い勝手が高いためである。
2012513062.tif 000002
【特許請求の範囲】
【請求項１】
ディスプレイ上に情報を表示させる方法であって、
情報提供先となる受信者を特定するステップと、
その受信者にとり相対的重要性がある第１の情報を保存媒体から取得するステップと、
当該受信者にとり相対的重要性があり且つその相対的重要性が第１の情報に備わるそれとは異なる第２の情報を保存媒体から取得するステップと、
その受信者が少なくとも第１及び第２の情報を眺めるであろう視点を特定するステップと、
少なくとも第１の情報の相対的重要性に基づき当該第１の情報に係る視点からの距離たる第１の距離を求めるステップと、
少なくとも第２の情報の相対的重要性に基づき当該第２の情報に係る視点からの距離たる第２の距離を求めるステップと、
第１及び第２の距離が反映される形態で第１及び第２の情報をディスプレイ上に表示させるステップと、
を有する方法。
【請求項２】
請求項１記載の方法であって、節を特定しその節に係る叙述情報に基づき第１及び第２の情報の相対的重要性を求めるステップを有する方法。
【請求項３】
請求項１記載の方法であって、表示させる情報をある節の情報から別節の情報へと遷移させる際に後者の節を特定して遷移情報を表示させるステップを有する方法。
【請求項４】
請求項３記載の方法であって、その遷移情報が遷移先の節に係る脈絡情報を含む方法。
【請求項５】
ディスプレイに可視表示させるための作品を構築する方法及びシステムで実行され、
複数個の叙述節、それに叙述情報として関連付けるべき情報、並びに保存媒体上にありその情報が保存されている１個又は複数個の叙述情報ファイルを特定するステップと、
１個又は複数個の叙述節に相応の叙述情報をリンクさせることで、その作品に関する適切な主題をその叙述節に関連付けるステップと、
それら叙述節を相応の順序で並べることでその作品に相応しい組織的構造を発生させるステップと、
その作品を受信者用のディスプレイに表示させるステップと、
を有する方法。
【請求項６】
請求項５記載の方法であって、個々のリンクの機能状態を、少なくともアクティブ状態及び非アクティブ状態を含む複数通りの機能状態間で且つ使用者又は受信者の意向に応じ変化させるステップを有する方法。
【請求項７】
請求項６記載の方法であって、使用者又は受信者からの指示に従い少なくとも１個の叙述情報ファイルを叙述節にリンクさせるステップと、その叙述情報ファイル内の情報から見てその使用者又は受信者に対し重要性を呈しそうな別の叙述情報ファイルに対するリンクをシステム側で１個又は複数個付加するステップと、を有する方法。
【請求項８】
請求項７記載の方法であって、叙述情報ファイルが作品に対し呈する相対的重要性を指定された展望とその作品に体現されている叙述との関係に従い求めるステップと、作品を構成する叙述情報ファイル内の情報をその相対的重要性に従い並べるステップと、を有する方法。
【請求項９】
ディスプレイに表示させるための作品を生成する方法及びシステムで実行され、
作品に含めるべき叙述情報を１個又は複数個特定するステップと、
保存場所及びデータファイルのうち一方又は双方からその叙述情報を取得するステップと、
取得した叙述情報を所定の条件に従いフィルタリングすることでその叙述情報からその作品に備わるべき枠組みに合致する範囲内のものを抽出するステップと、
その作品の枠組みを規定する他の複数個の叙述節と共に順番に並んでいる叙述節のうち１個又は複数個にその叙述情報を関連付けることで当該相応範囲内の叙述情報をその作品に組み込むステップと、
を有する方法。
【請求項１０】
請求項９記載の方法であって、取得した叙述情報をフィルタリングするステップが、制作者が叙述情報若しくはその一部を選定する手動状態又はそのシステムに組み込まれている所定の条件に従いシステム側で相応の叙述コンテンツを選定する自動状態を有する方法。
【請求項１１】
請求項１０記載の方法であって、自動状態ではシステム側でルールベース法又はランダム法に則り相応の叙述情報を選定する方法。
【請求項１２】
請求項９記載の方法であって、選定された叙述情報の一部を捉える第１の視野及び当該叙述情報の他の一部を捉える第２の視野を定めるステップを有する方法。
【請求項１３】
請求項１２記載の方法であって、叙述情報のうち第１の視野で捉えられる部分と第２の視野で捉えられる部分とが全く別の部分である方法。
【請求項１４】
請求項１２記載の方法であって、叙述情報のうち第１の視野で捉えられる部分と第２の視野で捉えられる部分とが一部又は全部重複する方法。
【請求項１５】
請求項９記載の方法であって、第１の視野を定めるステップと、選定された叙述情報が収まるよう第１の視野のサイズを変化させる操作子を提供するステップと、を有する方法。
【請求項１６】
請求項１４記載の方法であって、選定された叙述情報のうち第１及び第２の視野で共通して捉えられる部分に対し割り当てられる視覚的な重要性が第１の視野と第２の視野とで異なる方法。
【発明の詳細な説明】
【技術分野】
【０００１】
本発明は配信用作品の制作、例えばその生成、共有及び編集に関し、特に作品の叙述節（ナラティブノード）、叙述情報（ナラティブデータ）及び脈絡情報（コンテキスチャルデータ）が互いに有している脈絡的な重要性（シグニフィカンス）、或いはその作品の制作者、視聴者、登場人物等との間に有している脈絡的な重要性に従い、叙述情報及び脈絡情報を選定、管理、共有及び表示するシステムに関する。
【背景技術】
【０００２】
様々な種類の情報を様々な目的及び形態で配信したい、という切なる要求は不断且つ広範に存在している。配信できる情報の種類や配信の理由、目的、形態及び手段についてはほとんど制約がなくなってきているが、個々具体的な配信用作品の実効性がそのコンテンツ及び配信の構造で大きく左右されることも周知の通りである。
【０００３】
まず、配信一般について概論すると、その情報形態が文章、静止画、動画、音声、その組合せ等のいずれであれ、どういった配信用作品でも、伝達したい必要最低限の叙述情報（叙述コンテンツ）を含め幾種類かの情報を担う叙述節が形成されるものである。幾つかの叙述節が配列されることで形成される構造のことを叙述と呼ぶ。諸叙述節間の関係がその叙述によって規定されるため、それらの叙述節で担われる叙述情報は首尾一貫した表現へと体系化されることとなる。受信者には、こうして首尾一貫した表現となった作品が届けられる。受信者は、その作品内の諸叙述節をその作品の叙述によって構成、規定される筋書きに沿い縦貫的に参照することができる。
【０００４】
ただ、こうした裸の叙述構造が役立つ配信用作品は限られている。具体的には、叙述コンテンツに対する解釈の幅が非常に狭く、制作者・受信者間に誤解が生じようのない類の情報、例えばコンピュータシステム間でやりとりされる情報、制御信号、指令等のように機械間でやりとりされる情報に限られる。これに対し、一般社会では、配信可能な情報量を大きく増やし、曖昧さや誤解ができるだけ生じないようにし、そしてより役に立つ情報が配信されるようにすることが求められている。そのためには、配信される作品に相応の情報を付加し、制作者が意図した通りの意味や含みで受信者が叙述コンテンツを受けいられるようにする手だてが必要になる。
【０００５】
その種の付加情報は脈絡情報と通称されている。作品の脈絡情報（脈絡コンテンツ）は、作品の叙述コンテンツを伝達するのに必須ではないとはいえ、基本的な叙述を理解するのに役立ち、視聴者をより深い理解にいざなうものであり、また深みのある精緻なナレーションの生成にも役立つものである。脈絡コンテンツが適切に選定されていれば、付加的な情報や機微を視聴者に対し直接的にも間接的にも提供することができる。即ち、直截なナレーションで情報を伝達することも、暗喩、連想乃至示唆を通じ視聴者の感情、記憶、個人的知識、体験等に訴えることもできる。
【先行技術文献】
【特許文献】
【０００６】
【特許文献１】米国特許出願公開第２００７／０１６８３１５号明細書
【発明の概要】
【発明が解決しようとする課題】
【０００７】
しかも、今日ではインターネットや電子化データベースといった情報源に加え、検索エンジン等の現代的設備乃至ツールを利用することができる。その結果、作品に関する情報の探索、所在特定及び参照に関わる問題は既にかなりの程度軽減されている。とはいえ、脈絡コンテンツを適正に選定又は作成すること、また個別の作品をその脈絡コンテンツで狙い通りに補強することは、いまもなお難しい問題として残っている。却って、現代的情報検索・取得手段の使用で入手可能情報量が増えたことは、脈絡コンテンツとして利用できる情報の洪水で問題が複雑化する原因ともなっている。即ち、自分が入手できる情報の過多によって、どのような情報を脈絡コンテンツとして利用できるか、その情報がどの程度重要か、その情報と他の脈絡コンテンツ乃至叙述コンテンツとの間にどのような関係がありその関係がどの程度かすら、制作者が容易に見極められないことがある。
【０００８】
本発明は、従来技術におけるこうした問題点やそれに関連する問題点への解決策を提供するものである。
【課題を解決するための手段】
【０００９】
本発明は別紙特許請求の範囲に記載の通りの発明である。その主要特徴の一つは、社会交際網に連関するよう網状の叙述構造を作成し、重要性が一種の展望（パースペクティブ）として表現される三次元的な仮想風景を表示させることで、その叙述構造にて継起する諸関係を表示するようにした点にある。その好適な実施形態の一つは、幾つかのファイルに保存されている情報を叙述コンテンツとして使用し、個々の叙述節に相応の叙述コンテンツを関連付けることで、叙述節を幾つか有する配信用作品を制作する方法及びシステムである。叙述コンテンツとしては、原則として、対応する叙述節の主題に関連する様々な種類の情報を使用することができる。具体的には、ファイル内情報のうちその叙述節の主題に関する情報、例えば仕事、学校、休暇、結婚式、家族、幼児、子供時代、スポーツ、ゲーム、兵役等の主題に関する情報を使用する。叙述コンテンツの取得元となるファイル（以下「叙述情報ファイル」）としては、叙述コンテンツとして使用される情報が一種類保存されていて、更にその叙述コンテンツに密接に関連する情報が幾種類か保存されているものを使用するのが望ましい。例えば、分類「楽しみ」に属する叙述コンテンツが保存されていて、しかも演劇、スポーツ、音楽、パズル解き、ゲーム、狩猟等に関する情報が保存されているファイルを、叙述情報ファイル１２Ｃとして採用するのが望ましい。
【００１０】
本発明のより具体的な実施形態の一つは、好きな主題又は話題に関する配信用又は表示用作品、特に非常に扱いやすくその叙述及び脈絡がしっかりとした作品を制作できるユニークな方法及びシステムである。本実施形態を便利なツールとして使用することで、作品の制作者や司会者は、主題や話題を選定、整頓する作業や作品を修正する作業を、それを参照する集団や自分の好みに適合するよう且つ簡便に行うことができる。こうした実施形態を理解する上で役立つ例としては、米国大統領史に関する歴史物の作品がある。その種の作品の類型としては、ある特定の大統領に関する作品、ある特定の時代に在位していた幾人かの大統領に関する作品、全大統領に亘る通史を米国史及び彼らの任期との関連で述べる作品等がありうる。
【００１１】
ここでは、一例として、全大統領に亘る長大な作品、例えば大学で歴史を学んでいる学生諸君を視聴者とする表示用作品を制作するものとしよう。そうした作品を制作する際には、まず、その任期をカバーするよう歴代大統領の任期毎に叙述節を設けることで、その作品の構成要素を準備、整頓する。次いで、その叙述節に対応する大統領に関する様々な情報を、叙述コンテンツとして相応の叙述節に関連付ける。関連付ける情報の形態は、写真でも動画でも新聞記事でも雑誌記事でもよい。その大統領の地盤、家庭事情、加入政党、議会経験、当選歴等に関するものであればよい。その他の情報、例えばその大統領の任期中に生じた歴史的重大事件の進行過程でその大統領にとり転機、成果又は失策になった事項に関するナレーション等も、叙述情報として使用することができる。また、叙述コンテンツを叙述節に関連付けることでその取得元たる叙述情報ファイルがその叙述節に関連付けられることとなる。そうした叙述節・叙述情報ファイル間関係は柔軟に変化させることができる。必要ならば、ある大統領の任期をカバーする叙述節に関連付けられている叙述情報ファイルを、別の大統領の任期をカバーする別の叙述節に関連付けることもできる。
【００１２】
その次は、作品に備わる重要な性質たる展望を設定するとよい。展望はこれまでビュー（眺望）とも呼ばれてきたものであり、これには制作者のもの、実演者のもの、視聴者のもの、人間集団のもの等がある。叙述節を原点とする多次元極座標空間（以下「仮想展望空間」）、例えば図１４Ａ〜図１８を参照して後述するレーダビューを用い展望を規定、管理すれば、様々な展望を表現することができる。
【００１３】
いま採り上げている例の場合にも、レーダビューをその時代の主要政党に着目して描くことができる。例えば、エイブラハム・リンカーンの任期に対応する叙述節に関し、政治的な流れに沿いその時代を捉えて極座標形式のレーダビューを表示させた場合、そのレーダビューは４個の領域（以下「視野」）で割拠されることとなろう。ホイッグ党、不可知主義党、共和党及び民主党なる四大政党がその時代に存していたからである。もっとも、リンカーンの初選出前からその後にかけ早々に消えていったホイッグ党や不可知主義党に係る視野は際立って狭く、且つ重要な叙述対象をあまり含まないものとなるので、そのレーダビューで大きく表示されるのは民主党や共和党に係る視野となろう。また、米国内の地域別に異なる経済的又は政治的傾向に係る視野を、主要政党の視野と同じレーダビュー上に表示させることや、別のレーダビュー上に表示させることもできる。例えば、北部諸州、南部諸州及び西部諸州からリンカーンや彼が関わった政治及び戦争を見た視野である。それらの視野間の相互重複や、それらの視野と政党の視野との重複も生じうる。
【００１４】
レーダビューは、原点を占める叙述節からの距離の増大につれ重要性が比例的に低下することが複数個の径方向間隔円（同心円）で、また重要な叙述対象を巡る視点の違いがその叙述対象に対応するアイコンの位置の違いで、それぞれ表現される極座標図である。例えば、奴隷制を表すアイコンの位置は、民主党の視点に従い表した場合と共和党の視点に従い表した場合とで異なる位置になる。また、叙述対象に備わる絶対的重要性は、叙述対象を表すアイコン同士の大小関係で表現され、制作者個人にとっての重要性は、原点とその叙述対象を表すアイコンとの近接度で表現される。リンカーンの任期には奴隷制が決定的な問題であったので、重要な叙述対象のうち奴隷制に関する視点の違いを含むものを表すアイコンは、他のアイコンに比べかなり大きく、且つその重要性が非常に高いことを示す位置（原点のすぐ近く）に表示されることとなろう。他方、メアリ・トッド・リンカーンやその子供達に関する叙述対象等、米国史の流れから見てさほど重要でない家族事情関連の叙述対象は、絶対的重要性が低いことを示す小さなアイコンで表示されることとなろう。奴隷制問題についての叙述情報としては、写真、その当時奴隷制賛成又は反対の立場から記された記事、個人的な評価を述べるナレーション音声等を使用することができる。
【００１５】
リンカーン配下の共和党に係る視野と民主党に係る視野とでは、重要であると見なされその中央の叙述節付近に表示される叙述対象が異なってくる。例えば、共和党に係る視野では、同党にとり重要なリンカーン・ダグラス論戦や奴隷制西方蔓延阻止が中央付近に表示されるであろうし、民主党に係る視野ではドレッド・スコット事件のように州の権利及び奴隷制に関する民主党の立場を支持するものが中央付近に表示されるであろう。
【００１６】
その後は、個人的重要性ベクトルを用い所望の視野内で個別の視点を規定、配列し、摺動操作子を用い、そのベクトルに沿い重要な叙述対象の相対的重要性を範囲指定し重要な叙述対象のなかから特定のものを選択するとよい。例えば、共和党の視野における個人的重要性ベクトルが、南北戦争中の主要戦闘といった重要な叙述対象を過ぎっている場合、摺動操作子を使用することで、共和党や北軍の視点から見て転回点となった決定的な戦闘を好適に選定することができる。即ち、使用者は、摺動操作子の位置を適宜調整することで、ヴィクスバーグの戦闘やゲティスバーグの戦闘は含まれるが他の戦闘が含まれないように範囲を指定することができる。
【００１７】
なお、この例では、リンカーンに係る叙述節の次がアンドリュー・ジョンソンに係る叙述節、というように、叙述節から叙述節への遷移が全体として直線状になるが、遷移が常に直線状になるわけではない。リンカーンに係る叙述節から公民権に関わった後代の大統領に係る叙述節への遷移、例えばジョン・Ｆ・ケネディに係る叙述節への遷移もあり得る。
【００１８】
同一の叙述節にて複数通りの視野乃至展望を使用し、叙述の同一部分に備わる二側面を関連付けることもできる。言い換えれば、叙述対象の分類がどれかの展望によるものに限定されるわけではない。同じ叙述対象を二通りの展望から参照することが妥当な場合もある。例えば、リンカーン・ダグラス論戦に関しては、州の権利及び奴隷制にまつわる二通りの展望があろう。この場合、ダグラス側の展望及び叙述対象を民主党に係る視野内、リンカーン側の展望及び叙述対象を共和党に係る視野内に割り当てておけば、無論、互いに別の分類に属する民主党側視野と共和党側視野とを、その作品の制作者、実演者又は視聴者に割り当てられた展望から参照することができる。使用者がいずれかの視野からある叙述対象を指定したとき、それと同じ叙述対象を全ての視野内で強調表示させる等すれば、レーダビューで叙述対象・展望間関係を表現することができる。例えば、共和党に係る視野内にある奴隷制関連論説の上にマースカーソルが重なったときに、どの視野でもその論税の所在位置がわかるようその論税の表示を着色強調する、といった具合である。その場合、中心にある叙述節から個々の着色強調表示までの距離から、対応する視野におけるその論説の相対的重要性を読み取ることができる。即ち、共和党、民主党、ホイッグ党、不可知主義党のそれぞれに対するその論説の相対的重要性を読み取ることができる。
【００１９】
以上の例示から理解できるように、この叙述構造及び制作方式は、制作者にとっても視聴者にとっても非常に柔軟で使いやすいものである。制作者は、上述した広範囲の叙述節に留まらずより具体的な情報を伴う叙述節を設けることもできる。例えば、リンカーン配下の連合軍に関する仮説の検証を目的とした学問的研究のため、専ら自分の利益になるよう作品を制作することができる。リンカーンが兵士には好かれていたが指揮官としての能力に欠けていたため自軍の将校達にあまり尊敬されていなかった、という仮説を検証したいのであれば、様々な将校間で視野を切り替えたり、摺動操作子で相対的重要性の範囲を指定して興味ある重要な叙述対象、例えば兵士や将校が遺した日記、私信、対話等のうち適当なものを選定したりすればよい。
【００２０】
更に、上述の如く平面的なレーダビューに代え、個々の視野を制作者が縦貫的に眺めることが可能な別のグラフィカルユーザインタフェース（ＧＵＩ）乃至仮想展望空間を使用することもできる。例えば、ゲティスバーグ戦場を位相幾何学的に変形して表現するＧＵＩを使用し、リンカーンの命令が将校達にどのような影響を及ぼしたかをそのＧＵＩ上での位置及び動きで表示させるようにしてもよい。自分なりの展望や視野に到達した将校達に混じり自在に移動させうるよう、且つ個々の将校の展望に期待される重要性に従い、アバタをそのＧＵＩ上に表示させるようにしてもよい。使用する仮想展望空間と叙述節との間に地理的な相関がなくてもよい。通常は、アバタを任意位置に表示させること及びその移動方向を任意に変化させることが可能で、アバタをある方向乃至ベクトルに沿い移動させるとその展望に係る重要性の範囲が一緒に変化するようにするのが望ましい。例えば、リンカーンの任期に係る展望を表示するための仮想眺望空間であれば、任意方向にアバタを動かすと別の政治的展望例えば民主党、共和党、ホイッグ党等に係る展望からの叙述になり、特定方向にアバタを動かすとその叙述における政治的展望の相対的重要性が変化するようにするのが望ましい。
【００２１】
このように、上述した方法及びシステムは柔軟性の高いものである。これは、何らかの主題に関する叙述を制作して表示させる際に、制作者・実演者間、制作者・視聴者間等、協働する人物の組合せを問わず、様々な協働的場面で有益なツールになりうることを意味している。例えば、制作者が最初に設定した叙述構造や、制作者が自分の知識や自分なりの視点に基づき叙述コンテンツとしてその作品に関連付けた情報は、決して不変なものではない。寧ろ、実演者や視聴者の視点から見てより高度な重要性を呈し或いは別様の重要性を有すると見られる情報を、叙述コンテンツとして採用してその叙述を変更することが可能であるし、それは難なく行える。変更の形態は、叙述コンテンツとして利用可能な情報と、その情報を含む作品の制作に対する制作者、実演者、視聴者等の人物の関わり方次第である。例えば、リンカーンの任期に関し制作者が初期設定した展望の枠内で、実演者が、データベース上にあるが制作者が考慮しなかった情報間の新たな連関乃至相関を見出すことがあり得る。作品に対する関わり方が制作者のそれとは違うためである。実演者は、制作者とは違い、心優しく平和的で家族を思いやるというリンカーンの人間性から、より強い感銘を受けるかもしれない。実演者の洞察が、リンカーンの政治的役割や軍事的役割よりも、リンカーンの人間性に向きやすいからである。そうした洞察はリンカーンの和解再生政策、即ち分裂的な戦争やリンカーンの暗殺に抗し南北両軍に政治的、社会的及び経済的な前進をもたらした政策に関する洞察及び解明につながるであろう。
【００２２】
より具体的には、本発明は、ディスプレイ上に情報を表示させる方法に関する発明である。本方法は、情報提供先たる視聴者を特定するステップと、その視聴者にとり相対的重要性がある第１の情報を保存媒体から取得するステップと、当該視聴者にとり相対的重要性があり且つその相対的重要性が第１の情報に備わるそれとは異なる第２の情報を保存媒体から取得するステップと、その視聴者が少なくとも第１及び第２の情報を眺めるであろう視点を特定するステップと、少なくとも第１の情報の相対的重要性に基づき当該第１の情報に係る視点からの距離たる第１の距離を求めるステップと、少なくとも第２の情報の相対的重要性に基づき当該第２の情報に係る視点からの距離たる第２の距離を求めるステップと、第１及び第２の距離が反映される形態で第１及び第２の情報をディスプレイ上に表示させるステップと、を有する。
【００２３】
また、本発明は、ディスプレイに可視表示させるための作品を構築する方法及びシステムで実行される方法に関する発明でもある。本方法は、複数個の叙述節、それに叙述情報として関連付けるべき情報、並びに保存媒体上にありその情報が保存されている１個又は複数個の叙述情報ファイルを特定するステップと、１個又は複数個の叙述節に相応の叙述情報をリンクさせることで、その作品に関する適切な主題をその叙述節に関連付けるステップと、それら叙述節を相応の順序で並べることでその作品に相応しい組織的構造を発生させるステップと、その作品を受信者用のディスプレイに表示させるステップと、を有する。なお、本願でいう受信者はディスプレイを用いその作品を視聴又は編集しうる人物乃至集団のことであり、その作品の制作者、実演者、視聴者その他を含んでいる。
【００２４】
そして、本発明は、ディスプレイに表示させるための作品を生成する方法及びシステムで実行される方法に関する発明でもある。本方法は、作品に含めるべき叙述情報を１個又は複数個特定するステップと、保存場所及びデータファイルのうち一方又は双方からその叙述情報を取得するステップと、取得した叙述情報を所定の条件に従いフィルタリングすることでその叙述情報からその作品に備わるべき枠組みに合致する範囲内のものを抽出するステップと、その作品の枠組みを規定する他の複数個の叙述節と共に順番に並んでいる叙述節のうち１個又は複数個にその叙述情報を関連付けることで当該相応範囲内の叙述情報をその作品に組み込むステップと、を有する。
【図面の簡単な説明】
【００２５】
【図１】作品の構造及び構成要素を示す模式図である。
【図２】一例システム構成を示す図である。
【図３Ａ】配信用作品の制作に使用されるスタジオ設置型入力システム及びディスプレイを示す模式図である。
【図３Ｂ】配信用作品の制作に使用される実演場所設置型入力システム及びディスプレイを示す模式図である。
【図４】配信用作品制作方法を示すフローチャートである。
【図５】叙述情報ファイル表示中のディスプレイ画面を示す図である。
【図６】データベース構造を示す模式図である。
【図７】作品関係者に係る知識ベースを示す図である。
【図８】複数個の叙述情報ファイルそれぞれに係る条件エントリ及び情報フィールドを有する叙述情報ファイルデータベースを示す図である。
【図９】配信用作品向けに指定された複数個の叙述情報ファイルそれぞれに係る条件エントリ及び情報フィールドを有する指定叙述情報ファイルデータベースを示す図である。
【図１０】複数個の配信用作品それぞれに係る条件及び情報フィールドを有する叙述構造データベースを示す図である。
【図１１】リンクデータベースを示す図である。
【図１２Ａ】叙述情報ファイル・叙述・作品関係者間の関係を示す図である。
【図１２Ｂ】それら基本構成要素間の相互作用形態を示す図である。
【図１２Ｃ】相互作用結果利用方法を示す図である。
【図１２Ｄ】相互作用を経たシステムの最終状態を示す図である。
【図１２Ｅ】仮想展望を示す概念図である。
【図１３】叙述情報ファイル・関係者間に存する諸関係の関連付け方法を示すフローチャートである。
【図１４Ａ】極座標形式の仮想展望空間における叙述情報ファイル・叙述節間関係の一例表現を示す模式図である。
【図１４Ｂ】叙述情報ファイル・叙述節間関係の諸例を示す模式図である。
【図１４Ｃ】叙述情報ファイル・叙述節間関係のうち、双方向的なものを示す模式図である。
【図１４Ｄ】叙述情報ファイル・叙述節間関係のうち、叙述節で叙述情報ファイルが規定される関係を示す模式図である。
【図１４Ｅ】叙述情報ファイル・叙述節間関係のうち、叙述情報ファイルで叙述節が規定される関係を示す模式図である。
【図１４Ｆ】仮想展望の画面表示形態を示す図である。
【図１５Ａ】個人的重要性ベクトル及び叙述線の概念を示す模式図である。
【図１６】叙述情報ファイル・叙述節間関係を調べる方法を示すフローチャートである。
【図１７】その作品とのやりとりで粗筋を選択できるよう配信用作品の制作者等が叙述構造を貫くように設けた複数本の粗筋を示す図である。
【図１８】脈絡情報ファイルを叙述節に仕立て直す際の仮想展望再計算方法を示す図である。
【図１９】推論クエリの生成利用方法を示すフローチャートである。
【図２０】配信用作品生成方法の一例を示すフローチャートである。
【図２１Ａ】仮想展望サブシステムの構成を示すブロック図である。
【図２１Ｂ】システムの全体動作を示すフローチャートである。
【図２２Ａ】仮想展望の利用に適したＧＵＩ上操作子群を示す図である。
【図２２Ｂ】相対的重要性ではなく絶対的重要性に基づく叙述対象の表示・選定を示す図である。
【図２２Ｃ】範囲ロック操作子７３０の使用で生じうる効果を示す図である。
【図２３Ａ】レーダビュー型ＧＵＩを用いた叙述節間隔変更及び叙述節移動を示す図である。
【図２３Ｂ】レーダビューとカーソルＣの併用を示す図である。
【図２３Ｃ】視点操作用のグラフィカルツール７９５を示す図である。
【図２３Ｄ】使用者によるカーソルＣの移動に伴う叙述節コピー７９７の仮想風景内移動を示す図である。
【図２４】叙述線２４５から叙述線３５２への移動を行えるＧＵＩを示す図である。
【図２５】種々の脈絡情報を様々に変化させうるＧＵＩを示す図である。
【発明を実施するための形態】
【００２６】
以下、本発明の好適な実施形態に関し図面に基づき説明する。各図中、同様の構成要素には同一の参照符号を付してある。
【００２７】
以下の説明では、まず、個々の叙述節に叙述情報及びそれに関連する脈絡情報を関連付けて叙述構造を形成することで、組織だった構造を有する作品を制作する方法及びシステムについて説明する。次いで、叙述情報が叙述構造に対し呈する相対的重要性や脈絡情報が叙述情報及び叙述構造に対し呈する相対的重要性を制作者特性や想定視聴者特性に適合させることで、その作品の実効性が高まることについて説明する。そして、作品で叙述情報や脈絡情報として使用したい情報を探し、見つけ、参照して入手するシステムや、その作品に脈絡情報として組み込むべき情報を作品の狙いや制作者、想定視聴者等の特性に従い選定するシステムについて説明する。
【００２８】
Ａ．序論及び作品構成要素  …  図１
（ａ）叙述節、叙述コンテンツ及び叙述情報ファイル
図１に作品１０の構成要素及び構造を示す。この作品１０では、複数個の叙述節１２Ａそれぞれに叙述コンテンツ１２Ｂ及びその取得元たる叙述情報ファイル１２Ｃが１個又は複数個関連付けられているが、節１２Ａが１個の作品もあり得る。ファイル１２Ｃには、通常、対応する節１２Ａによって届けられるべき必要最低限情報たるコンテンツ１２Ｂに加え、その節１２Ａで叙述すべき事項たる叙述対象に関連する情報が幾種類か保存されている。例えば、仕事、学校、休暇、結婚式、家族、幼児、子供時代、スポーツ、ゲーム、兵役等に関する情報である。更に、ファイル１２Ｃ内コンテンツ１２Ｂの種類を示す叙述コンテンツ種別識別子１２Ｄもそのファイル１２Ｃに保存されている。１個のファイル１２Ｃに複数種類のコンテンツ１２Ｂ、複数個の識別子１２Ｄを容れておくこともできるが、本発明の好適な実施形態に係る方法及びシステム（以下「本実施形態」）では、同じファイル１２Ｃに保存されており互いに密接な関係を有している情報のうち一種類をコンテンツ１２Ｂとして用いるようにしている。そうしたファイルの例は、分類「楽しみ」に属する叙述コンテンツと、演劇、スポーツ、音楽、パズル解き、ゲーム、狩猟等に関する情報とが、併せて保存されているファイルである。
【００２９】
そして、各叙述情報ファイル１２Ｃには図示の通り脈絡指示子１２Ｅも保存されている。この指示子１２Ｅは後述する脈絡コンテンツ１６Ａの種類を示すものであり、１個のファイル１２Ｃに複数個の指示子１２Ｅが保存されることもある。指示子１２Ｅは、同じファイル１２Ｃ内のコンテンツ１２Ｂに備わる重要性を、明示又は暗示する形態を採っている。例えば、コンテンツ１２Ｂの事前解析結果をファイル１２Ｃ内情報フィールドに保存等することで、そのファイル１２Ｃに、明示的な形態の指示子１２Ｅを保存させることができる。逆に、本実施形態のように、ファイル１２Ｃ内コンテンツ１２Ｂに予め組み込んでおくことで、暗示的な形態の指示子１２Ｅをファイル１２Ｃに保存させるようにしてもよい。本実施形態では、作品１０にコンテンツ１２Ｂとして含めたい情報及びその取得元ファイル１２Ｃを選定する過程で、諸種脈絡コンテンツ１６Ａを規定するルールに従いそのコンテンツ１２Ｂを解析することで、そのファイル１２Ｃに保存させる指示子１２Ｅを決定するようにしている。
【００３０】
（ｂ）叙述構造
上述の通り、ある作品１０のコンテンツはある決まった順序で受信者向けに表示される。受信者とは、その順序に従い幾つかの叙述情報ファイル１２Ｃを縦貫的に処置、受領等しそれに含まれる情報を表示させる人物、例えばその作品１０の制作者、視聴者、使用者等のことである。言い換えれば、作品１０を構成する諸叙述節１２Ａは、その作品１０における節１２Ａ間関係を規定する組織的構造たる叙述構造１４Ａに従い並んでいる。同じ構造１４Ａ内の諸節１２Ａは、作品１０のコンテンツが受信者に届く順序即ちその作品１０の粗筋１２Ｐに沿って受領されるので、諸節１２Ａに係る叙述コンテンツ１２Ｂを適正な順序、即ちその作品１０の趣旨及び目的に適合した整合性ある順序で表示させることができる。
【００３１】
叙述構造１４Ａは多種多様な叙述節１２Ａ間関係を表現できる概念である。これを用いることで、作品１０における節１２Ａ間関係ひいては叙述コンテンツ１２Ｂ間関係を表現、規定することができる。例えば科学技術論文、小説、歴史書等といった種類の作品１０では、様々な情報が直線的に並ぶことが多い。そうした作品１０では諸節１２Ａを縦貫する粗筋１２Ｐが１本形成され、諸節１２Ａの関連付け及び表示が主としてその作品１０の叙述条件に従い、即ちその作品１０の叙述条件で規定される構造１４Ａに従い行われることとなろう。これに対し、構造１４Ａ内の諸節１２Ａが、叙述に備わる複数の側面に従い配列されることもある。例えば、時間軸に沿った粗筋１２Ｐを幾本か有していて、その粗筋１２Ｐが時間的に細分されているような構造１４Ａもあり得る。旅行記に散見されるように、時間軸に沿った粗筋１２Ｐを幾本か有していて、その粗筋１２Ｐが地理的な関係に従い細分されているような構造１４Ａもあり得る。
【００３２】
叙述節１２Ａ間諸関係言い換えれば叙述構造１４Ａは、それらの節１２Ａに係る叙述コンテンツ１２Ｂによっても左右される。例えば、同じ節１２Ａに係る複数個のコンテンツ１２Ｂ間に、出来事の発生順序等といった時間的関係、ボストンとマサチューセッツ州東部の諸都市の位置関係等といった地理的関係、或いは美術、薬品等といった題材的関係がある場合、構造１４Ａは、明示はなくともそれらの関係で左右される。また、互いに別の節１２Ａに係るコンテンツ１２Ｂ同士の関係が構造１４Ａに影響を及ぼすこともある。その例は、ある節１２Ａに係るコンテンツ１２Ｂで述べられている出来事が、別の節１２Ａに係るコンテンツ１２Ｂで述べられている出来事に対し時間的に密接な関係を有していて、更に別の節１２Ａに係るコンテンツ１２Ｂで述べられている出来事に対してはそうでもない、という場合である。構造１４Ａにおける節１２Ａ間関係は、明示はなくともそうした時間的関係で左右される。そして、複数の要因でコンテンツ１２Ｂ間に生じる関係で、構造１４Ａが明示的又は暗黙的に左右されることもある。例えば、歴史についての叙述を含む作品１０では、互いに別の節１２Ａに係るコンテンツ１２Ｂ同士を関連付けて叙述情報群を形成させる地理的な関係と、それら叙述情報群同士を関連付ける時間的な順序関係とにより、それら節１２Ａ間の関係が左右される。
【００３３】
（ｃ）脈絡コンテンツ及び脈絡情報ファイル
作品１０は、上述の如く幾つかの叙述節１２Ａで形成される叙述構造１４Ａや、その節１２Ａに係る叙述コンテンツ１２Ｂに加え、そのコンテンツ１２Ｂに関連した脈絡コンテンツ１６Ａを有していることが多い。脈絡コンテンツ１６Ａは、先に説明した通り、付加的な情報や詳細な情報を受信者に届ける役に立つものである。しかも、それを、直接的な形態でも間接的な形態でも行える。即ち、情報をそのままナレーションで流す形態でも、情報を暗示、示唆又は間接参照する形態でも、その情報を提供することができ、ひいては視聴者の感慨、記憶、知識、思い出等を好適に喚起することができる。従って、作品１０の叙述コンテンツ１２Ｂに脈絡コンテンツ１６Ａとして関連付けるに相応しい情報を選定すること、即ちその作品１０の制作者や視聴者の知識、体験及び個性を踏まえ選定することで、その作品１０の訴求力をかなり強めることができる。
【００３４】
脈絡コンテンツ１６Ａの取得元ファイル（以下「脈絡情報ファイル」）１６Ｂとなるのは、図１に示すように、同一又は別々の分類に属していてコンテンツ１６Ａとして使用できる１個又は複数個の情報に加え、その情報の種類を示す脈絡種別識別子１６Ｃが保存されているファイルである。或いは、その作品１０でコンテンツ１６Ａとして使用するに相応しい情報が見つかったときに、諸種コンテンツ１６Ａを規定するルールに従いその情報を解析することで、そのファイル１６Ｂに係る識別子１６Ｃを定めるようにしてもよい。
【００３５】
この点に関して述べると、本実施形態では、脈絡コンテンツ１６Ａ及びその取得元ファイル１６Ｂを構成要素とする脈絡骨格１６Ｄが幾通りか形成されており、またその骨格１６Ｄがそれぞれある種類の脈絡に関連付けられている。形成されうる骨格１６Ｄとしては、例えば、対応する叙述情報ファイル１２Ｃ内の叙述コンテンツ１２Ｂに対し年代的な関連を有する脈絡コンテンツ１６Ａ及びその取得元ファイル１６Ｂで形成される年代的脈絡関連の骨格１６Ｄや、場所等の地理的要因で叙述コンテンツ１２Ｂに関係している脈絡コンテンツ１６Ａ及びその取得元ファイル１６Ｂで形成される地理的脈絡関連の骨格１６Ｄがある。形成されうる骨格１６Ｄとしては、このほか、日付、時刻、日時、家族関係、業務関係、趣味、学歴、病歴、様々な形態の主題等、様々な脈絡関係に係るものがあり得る。過渡的な脈絡関係でも長期的な脈絡関係でもかまわない。更には、様々な階層の人間、様々な地域等、様々な種類のコンテンツ１２Ｂ乃至１６Ａに適用できる大域的な骨格１６Ｄや、ごく限られた人間集、ごく限られた場所等、狭い範囲のコンテンツ１２Ｂ乃至１６Ａにしか適用できない局所的な骨格１６Ｄもあり得る。
【００３６】
どのような内容の脈絡コンテンツ１６Ａをその脈絡骨格１６Ｄに加入させるか、即ちどのような種類の脈絡情報をその骨格１６Ｄに含めるかは、その骨格１６Ｄ向けの脈絡ルール群、即ちコンテンツ１６Ａの種類を指定するルール群に従い決定される。脈絡情報の種類を調べ特定種類の脈絡情報に加入権を与える脈絡ルールとしては、例えば、イエス／ノーの二値ルール、確率的乃至統計的なルール等を使用することができる。個々の脈絡骨格で使用される脈絡ルールを経験的に定めることも、本件技術分野で習熟を積まれた方々（いわゆる当業者）にとり周知の自動分類法、例えば遺伝的アルゴリズムに則り定めることも可能である。
【００３７】
上述の通り、叙述情報ファイル１２Ｃ内脈絡指示子１２Ｅは、そのファイル１２Ｃ内の叙述コンテンツ１２Ｂに関連付けうる脈絡コンテンツ１６Ａの種類を示すものである。後により詳示するが、これによって、各叙述情報ファイル１２Ｃ内叙述コンテンツ１２Ｂが、それに相応しい種類に属する幾通りかの脈絡コンテンツ１６Ａ及びそれに対応する脈絡骨格１６Ｄに関連付けられることとなる。こうした指示子１２Ｅは、上述の通り、叙述情報ファイル１２Ｃ内叙述コンテンツ１２Ｂを事前解析しその結果を同じファイル１２Ｃの情報フィールドのうち相応のものに保存することで、明示的な形態を採り作成することができる。本実施形態のように、その叙述情報ファイル１２Ｃ内叙述コンテンツ１２Ｂ又はその一部分として生来的且つ暗黙的に保存するようにしてもよい。生来的な指示子１２Ｅは、その作品１０に含めるべき叙述コンテンツ１２Ｂ及びその取得元ファイル１２Ｃを特定する過程で、諸種脈絡コンテンツ１６Ａを規定するルールに従いその叙述コンテンツ１２Ｂを解析することで、生成することができる。
【００３８】
（ｄ）叙述構造内リンク
叙述構造１４Ａ内叙述節１２Ａは、いずれも、何らかのリンク１４Ｂを介し、同じ構造１４Ａ内の他の要素、例えば他の節１２Ａ、叙述情報ファイル１２Ｃ、脈絡情報ファイル１６Ｂ、それらの保存用レポジトリ等につながっている。１個の節１２Ａが他の複数個の要素につながることもあり得る。また、どのリンク１４Ｂも何らかの機能状態を呈する。機能状態には必須、随時、アクティブ、非アクティブ等といった複数の種類がある。リンク１４Ｂの機能状態が変化することもある。作品１０を表示させながらリンク１４Ａの機能状態を修正することもできる。機能状態の自動修正や、制作者や実演者による操作に応じた修正により、視聴者向けに表示される情報をその視聴者からの反応に適合させることができる。
【００３９】
叙述節１２Ａ以外では、叙述情報ファイル１２Ｃ、脈絡情報ファイル１６Ｂ、それらの格納用のレポジトリ等に至るリンクや、それらからのリンクを様々な形態で設けることができる。例えば、１９５５年のシカゴ湖畔でよく見られた光景が表示されるよう、制作者や実演者がファイル１２Ｃ及び１６Ｂに至る付加的なリンクを指定することができる。その指定により、必須、随時、非アクティブ等の機能状態を有する他の幾通りかのリンクが生じることもある。このように、本実施形態には、目下指定されている節１２Ａの先を読む能力が備わっている。即ち、指定された節１２Ａに続く幾つかの節１２Ａにて、制作者、実演者、登場人物又は視聴者にとり重要と見られるファイル１２Ｃ乃至１６Ｂを、リンクの連鎖を辿り識別、特定及びソートすることができる。
【００４０】
（ｅ）作品１０の構成要素に備わる絶対的重要性、相対的重要性及び展望
（ｉ）絶対的重要性及び相対的重要性
周知の通り、また記録的文書、創作的文書、音楽、映画等の別を問わずあらゆる配信形態で認められるように、作品１０のコンテンツ１２Ｂ乃至１６Ａがその作品１０やその作品１０の視聴者に現実的又は潜在的に及ぼす影響は、その作品１０の叙述、叙述コンテンツ１２Ｂ及び脈絡コンテンツ１６Ａが、その作品１０の他の叙述、コンテンツ１２Ｂ乃至１６Ａ、制作者、想定視聴者等にとりどの程度重要かにより左右されまた決定づけられる。大雑把にいえば、作品１０のコンテンツ１２Ｂ乃至１６Ａが作品１０や視聴者に及ぼす現実的又は潜在的な影響は、影響を受ける視聴者の人数、影響の強さ乃至厳しさ、影響の継続時間、作品１０及び視聴者にとっての影響の強さ乃至重要性等によって左右される。
【００４１】
この点との関連では、作品１０内要素に備わる重要性を絶対的な物差しで、即ちその作品１０又は作品一般に対する構成要素の総合的且つ全般的な重要性として測ることが可能である点に留意すべきである。本実施形態では、作品１０内個別構成要素に備わる重要性を、そうした絶対的重要性ではなく、より便利な計測指標である相対的重要性で測るようにしている。相対的重要性とは、その構成要素例えば叙述節１２Ａ、叙述情報ファイル１２Ｃ、脈絡情報ファイル１６Ｂ等の重要性を、その作品１０の他の構成要素や、その作品１０に関わる人物乃至集団、例えば制作者、実演者、視聴者、実在登場人物、架空登場人物、擬人的表現等（以下「作品関係者」）を規準にして、測ったもののことである。
【００４２】
後に詳示する通り、本実施形態によれば、作品１０内要素に備わる相対的重要性、即ち同じ作品１０の他の構成要素、制作者、想定視聴者等を規準とした重要性を、その作品１０の意図、目的、制作者特性、視聴者特性等に従い選定乃至管理し、作品１０の実効性を最適化することができる。同じく後に詳示する通り、本実施形態によれば、制作者や視聴者の特性や反応を手がかりとして脈絡情報選定動作を調整乃至最適化し、その作品１０の実効性を更に高めることができる。しかも、それを、作品１０の表示中にも行える。例えば、制作者の狙いが、視聴者の感傷的反応なり気分的反応なりを誘うことにあるとする。この場合、制作者は、狙いとする反応が喚起されるよう脈絡コンテンツ１６Ａを選定すればよい。例えば、相応の音楽やそれへの参照を作中に組み込めばよい。これを実現したい場合、制作者は、平均的な視聴者の世代、一般的関心事項、背景、文化特性、その一端をなす音楽的体験や指向等を踏まえ、叙述コンテンツ１２Ｂに対しても視聴者の個人的特性に対しても適切な関係を有する音楽を選定する必要がある。例えば音楽演奏、講演等といった生実演の作品１０なら、制作者は、視聴者の反応を自分の目なり適切なセンサシステムなりを用いて観察し、後続する叙述節１２Ａに係る脈絡コンテンツ１６Ａをその結果に基づき調整することで、狙いとする反応を喚起させることができる。
【００４３】
従って、作品１０の叙述、叙述構造１４Ａ及び叙述コンテンツ１２Ｂに対する脈絡コンテンツ１６Ａの影響力を踏まえると、その作品１０に備わる個々の脈絡コンテンツ１６Ａが発揮する影響力は、そのコンテンツ１６Ａがその作品１０の視聴者及び構成要素に対し呈する関係及び及ぼす影響に、部分的に依存するといえる。個々の脈絡コンテンツ１６Ａが視聴者や作品１０に対し呈する関係は、例えば、作品１０で想定している叙述対象、そのコンテンツ１６Ａが関連付けられている叙述節１２Ａ、即ち構造１４Ａ内でそのコンテンツ１６Ａが現出する部位、並びにそのコンテンツ１６Ａに関連付けられるべき個別の叙述コンテンツ１２Ｂに依存している。例えば、伝記的な作品１０の制作者は、主人公が若年時に居住していた住宅の写真を脈絡コンテンツ１６Ａとして使用したがるはずである。そうしたコンテンツ１６Ａは、構造１４Ａ内で若年期に位置する節１２Ａに関連付けるのが最適である。主人公が幼年学校時代の出来事を回想しているシーンに関する節１２Ａに関連付けるのもよい。いずれにしても、主人公の若年時代に存在していた住宅の姿をそのままに捉えた写真は、最近撮影された写真に比べ格段に重要なものとなる。また、想定視聴者から特定の反応、例えばその層に共通する感傷的反応、知的反応、記憶、思い出等を引き出せるように作品１０を制作したい場合、その制作者は、それらの視聴者の気分上、狙いとする反応に結び付いている音楽か、その反応を喚起させるような音楽を、脈絡コンテンツ１６Ａとして使用することで、自分の狙いを達成することができる。但し、それには、視聴者の世代、視聴者が共有しているであろう思い出、視聴者の文化的、教育的及び音楽的な背景及び体験、そして無論、狙っている感傷的乃至知的反応に対し強い関連性を呈することとなるよう、適切な音楽を選定する必要がある。
【００４４】
（ｉｉ）展望
個別コンテンツの重要性は展望によっても左右される。展望とは、その重要性が定義、計測又は観測される叙述上の脈絡のことである。例えば、特定の人物、集団乃至階層にとっての個別コンテンツの重要性は個人的重要性と呼ぶことができ、特定の人物、集団乃至階層を成員とするより大規模な集団に対する個別コンテンツの重要性は一般的重要性又は大域的重要性と呼ぶことができる。前者における脈絡乃至重要性の展望が個人的乃至局所的であるといえるのは、それが、例えば、割合に少人数の影響先集団や割合に短期間な出来事を対象にして測られているからである。他方、後者における展望が大域的、即ちより広範乃至迂遠であるといえるのは、その重要性が例えばより大勢の集団やより長期間な出来事を対象にして測られているからである。
【００４５】
個別の人物乃至集団にとっての個別コンテンツの展望は様々な要因、例えば、そのコンテンツに対するその人物乃至集団の時空間的遠近度、個人的関連度、個人的影響度等で左右されうる。例えば、ある人物がある出来事に対し呈する個人的な関係に係る展望は、その出来事にその人物本人や近親者が関わっているか、その出来事にその人物の知人が関わっているか、その出来事がその人物にとり縁遠い学問的対象に過ぎないのか等の事情で左右される。同様に、時空間的な展望、即ち人物乃至集団に対する重要性は、例えば、その出来事がその人物から見て遠い過去で生じた歴史的な出来事やその人物があまり知らない遠地で生じた遠隔的な出来事なのか、それともより現代的又は局所的な出来事なのかの別等で左右される。但し、人物乃至集団に対する個別コンテンツの重要性乃至展望を決定するに当たり個々の要因に付与される相対的荷重は、その人物乃至集団とコンテンツとの関係で左右されるものである。例えば、ある特定の集団にとって、ある種の歴史的な出来事が他の多くの現代的な出来事に比べ重要性が高いこともあるので、その点を理解されたい。
【００４６】
また、個々の人物乃至集団にとってのコンテンツの重要性は、そのコンテンツが知覚される叙述中の個所即ちその叙述展望によっても左右される。例えば、前段の叙述節１２Ａに係る個別コンテンツの重要性がより後段の節１２Ａにて初めて明らかになること、例えば後段の節１２Ａに至って初めて大きな影響をもたらすことがある。そのコンテンツが一種の布石として使用されている場合等である。
【００４７】
そして、本実施形態では、作品１０における構成要素間関係、例えば叙述節１２Ａ、叙述コンテンツ１２Ｂ、脈絡コンテンツ、作品関係者等の間の関係に方向性があることが多い。即ち、本実施形態では、その構成要素が他の構成要素に対しどのように影響しどのように依存するかを示す方向性が、作品１０における構成要素間関係乃至その重要性に発生しうる。例えば、ある叙述情報ファイル１２Ｃ内の叙述コンテンツ１２Ｂによってある節１２Ａの一部又は全体が規定乃至構成されているなら、そのファイル１２Ｃからその節１２Ａに向かう方向の関係乃至重要性がある、ということである。逆に、ある叙述情報ファイル１２Ｃ内の叙述コンテンツ１２Ｂ又はその一部がある節１２Ａによって規定されているなら、その節１２Ａからそのファイル１２Ｃに向かう方向の関係がある、ということである。そして、作品１０の構成要素間に双方向的な影響乃至関係が生じることもある。即ち、上掲の例でいえば、ある叙述情報ファイル１２Ｃ内の叙述コンテンツ１２Ｂによってある節１２Ａのある一面が規定される一方、そのファイル１２Ｃ内の叙述コンテンツ１２Ｂが部分的にその節１２Ａによって規定される、といった関係である。
【００４８】
（ｉｉｉ）仮想展望
上述の通り、個別コンテンツの重要性は展望によって左右される。展望はその作品１０に体現されている特定の叙述環境下で定義されるものであり、またそのコンテンツと特定の人物、集団乃至階層との関係で定義されるものである。本願でいうところの展望を左右する要因としては、まず、コンテンツに対する人物、集団等の時空間的遠近度、即ちそのコンテンツに係る出来事が時間的又は空間的に身近なものであるか否か、という要因がある。次に、個人的遠近度、即ちそのコンテンツに対する個人的な関わりやそのコンテンツから受けた個人的な影響の度合いがどの程度であるか、という要因がある。そして、叙述展望、即ちその叙述上のどの個所からそのコンテンツを知覚乃至観察できるのか、という要因がある。
【００４９】
本実施形態では更に仮想展望なる概念も導入している。これは、叙述構造１４Ａ内の諸叙述節１２Ａを縦貫するかたちでその作品１０のコンテンツ１２Ｂ及び１６Ａが提供されるよう、叙述情報ファイル１２Ｃ・節１２Ａ間の関係を粗筋１２Ｐとの関わりで表記乃至体現するものである。本実施形態では、その作品１０のコンテンツ１２Ｂ及び１６Ａで表現される世界や相対的重要性が、その人物乃至集団によって実際に知覚される形態となるよう、ファイル１２Ｃ及び１６Ｂを整頓、配列する手段として仮想展望を使用することができる。
【００５０】
（ｉｖ）方向性
後に詳示する通り、叙述節１２Ａ、ファイル１２Ｃ及び１６Ｂ、そこに保存されているコンテンツ１２Ｂ乃至１６Ａ、作品関係者等の間の関係は、それらの間の絶対的重要性や相対的重要性に留まるものではない。本実施形態で作品１０における構成要素間関係に現れうる特性としては、更に、作品１０の構成要素から他の構成要素への影響や従属性を表す有向的な関係即ち方向性がある。例えば、ある節１２Ａにとりある叙述情報ファイル１２Ｃが重要であり、そのファイル１２Ｃ内の叙述コンテンツ１２Ｂによってその節１２Ａの一部又は全体が規定乃至構成されている場合、その節１２Ａとそのファイル１２Ｃ間の関係にそのファイル１２Ｃからその節１２Ａへと向かう方向性があるといえる。この場合、ファイル１２Ｃから節１２Ａへと影響するのみで節１２Ａからファイル１２Ｃには影響しない。即ち、ファイル１２Ｃが節１２Ａから独立しているため、そのファイル１２Ｃ内のコンテンツ１２Ｂはその節１２Ａによって全く規定されない。その逆に、例えば、あるファイル１２Ｃ内のコンテンツ１２Ｂのうち一部又は全部がある節１２Ａによって規定されている場合、その節１２Ａとそのファイル１２Ｃとの間の関係に、その節１２Ａからそのファイル１２Ｃに向かう方向性があるといえる。更に、節１２Ａ・ファイル１２Ｃ間の影響が双方向的な場合もあり得る。即ち、あるファイル１２Ｃ内のコンテンツ１２Ｂによってある節１２Ａのある一面が規定される一方、そのファイル１２Ｃ内のコンテンツ１２Ｂが部分的にその節１２Ａによって規定される場合もあり得る。
【００５１】
本実施形態では、このように、作品１０における構成要素間関係に、強さに加え方向性という特性があることを利用する。その方向性は、例えば位置や向きを指し示す矢印部分が付いた一方向矢印線、双方向矢印線等の矢印線で視覚的且つ概念的に表現することができる。
【００５２】
後に詳示する通り、本実施形態によれば、個別の叙述コンテンツ乃至脈絡コンテンツがもたらす影響を、展望という観点からだけでなくより一般的な概念である重要性の見地からも検討することができる。
【００５３】
Ｂ．作品生成システムの例
図２に、上述の如き作品１０を生成する電子的なシステムの一例構成２０を示す。図示の通り、このシステム２０は、ファイル１２Ｃ及び１６Ｂを供給するコンテンツ入力システム２４、使用者向けの入力システム２６及び出力システム２８等を、プロセッサ３４に接続した構成を有している。これら、システム２４、２６、２８及びプロセッサ３４を含め、システム２０内諸要素は、ローカルに配置することも、分散配置しローカルエリアネットワーク、ワイドエリアネットワーク等の通信システム５４経由で相互結合することも可能である。この点は本件技術分野で周知の通りである。
【００５４】
コンテンツ入力システム２４は、テキスト、静止画、静止画列、動画、音声データ等を示すディジタル乃至アナログ信号といった形態を採っていてコンテンツ１２Ｂ又は１６Ａとして使用しうる情報をプロセッサ３４に供給するシステム、装置又はデバイスである。例えば、パーソナルコンピュータ、携帯電話等のコンピュータシステムや、コンテンツ１２Ｂ乃至１６Ａを取得すべくローカル、リモート又はその双方に設けられたセンサ３８や、コンテンツ１２Ｂ乃至１６Ａの保存先及び供給元とすべくローカル、リモート又はその双方に設けられた格納装置４０や、センサ３８・格納装置４０とプロセッサ３４との間でのコンテンツ１２Ｂ乃至１６Ａのやりとりを媒介する通信システム５４等で、このシステム２４を実現することができる。
【００５５】
それらのうちセンサ３８は、コンテンツ１２Ｂ乃至１６Ａとして使用可能な情報を取得するためのものである。環境条件を検出可能な環境センサ、音声、静止画又は動画を相応の帯域で捕捉可能な音声センサ、画像センサ、カメラ又はそれに類する装置、音声抑揚、身体運動、眼球運動、瞳孔散大、体温又はｐ４０００波を初めとする身体的又は心理的反応を検出可能なバイオメトリックセンサ等がその例である。
【００５６】
格納装置４０は、コンテンツ１２Ｂ乃至１６Ａとなりうるディジタル又はアナログの信号を格納乃至提供するためのデバイス、システム又は装置である。ローカルでもリモートでもかまわない。種々のハードディスクドライブや、磁気保存媒体、光保存媒体等を使用するリムーバブル媒体ディスクドライブや、磁気メモリ、光メモリ等で構成されたメモリデバイス乃至カードを始め、種々の固体、磁気又は光メモリ乃至格納装置を、格納装置４０として使用することができる。
【００５７】
コンテンツ入力システム２４では、このほか、画像、文書、三次元物体等からの読取で情報を取得する二次元又は三次元走査／読取装置等の装置乃至システムを、コンテンツ１２Ｂ乃至１６Ａの取得に使用することができる。
【００５８】
通信システム５４は、メモリシステム５２、ディスプレイ５６等のリモートデバイス乃至システムへと、コンテンツ１２Ｂ乃至１６Ａを送信し、また、そこからコンテンツ１２Ｂ乃至１６Ａを受信するためのものである。従って、このシステム５４を構成する際、光、無線周波数等のトランスデューサ回路が幾つか使用されることがある。インターネット、携帯電話網、ピアトゥピア通信網等のモバイル通信網や有線ローカルエリアネットワーク、無線ローカルエリアネットワーク等のローカル通信網を初めとする任意且つ既存の有線又は無線データ伝送システムへの結合手段が、このシステム５４に設けられることもある。
【００５９】
入力システム２６は、システム２０の動作を管理する際に制作者が操作するシステムである。制作者がその操作により諸機能を稼働させること、例えば作品１０に含めるべきファイル１２Ｃ及び１６Ｂを指定する機能、それらのファイル１２Ｃ又は１６Ｂを配置、整頓及び編集する機能、制作者や受信者についての情報を表示させる機能等を稼働させることができるよう、このシステム２６は、タッチスクリーン、キーボード、トラックボール、マウス、音声認識システム、ジェスチャ認識システム、ディスプレイ等、ローカル接続又はリモート接続された任意種類の装置、システム又はその組合せで構成されている。図２に示した例では、入力システム２６として、キーボード５８ａ、マウス５８ｂ及びリモートコントローラ５８ｃからなるリモート入力部５８や、キーボード６８ａ及びマウス６８ｂからなるローカル入力部６８が設けられている。
【００６０】
ローカル入力部６８は、例えば、図３Ａに示すように編集場所７０、即ち編集用スタジオ内や編集用キオスク内に設けることができる。この例では、制作者７２の座席の前に、キーボード６８ａ及びマウス６８ｂからなるローカルコンソールと、マルチメディアコンテンツ等を表示可能なディスプレイ６６とが配置されている。また、この場所７０には、制作乃至作業に従事している制作者７２の様子を見守ることができるよう、カメラ、音声センサ３９、マルチスペクトラルセンサ等のセンサ３８も設けられている。
【００６１】
ローカル入力部６８は、また、図３Ｂに示すように実演場所７１に設けることもできる。この例でも、制作者７２の座席の前に、キーボード６８ａ及びマウス６８ｂからなるローカルコンソールと、マルチメディアコンテンツ等を表示可能なディスプレイ６６とが配置されている。同じくこの例でも、制作乃至作業に従事している制作者７２の様子を見守ることができるよう、その場所７１にカメラ、音声センサ３９、マルチスペクトラルセンサ等のセンサ３８が設けられている。更に、図中の場所７１には、視聴者７５向けにコンテンツ１２Ｂ乃至１６Ａを提供する共有システム３５乃至提供システムが設けられているほか、視聴者７５の反応に応じ提供するコンテンツを変更可能とすべく幾つかのセンサ３８が設けられている。また、視聴者７５に提供される情報と同じものを、後述の如く共有出力部３２を介し在リモートの受信者にも提供することができる。
【００６２】
出力システム２８は、システム２０の使用者からの指示、即ち通常はその作品１０の制作者からの指示に応じ、作品１０の格納、提供、配信、共有等を実行するシステムであり、従来からその種の目的で使用されている様々なシステム、装置又はその組合せで構成することができる。従って、例えばディスプレイ、プロジェクタ、音声付画像プロジェクタ、プリンタ、各種通信システム、通信網乃至通信装置、記録装置、記憶装置、媒体書込装置、その一種であるＣＤ／ＤＶＤプレス機／レコーダ等を、このシステム２８として使用することができる。
【００６３】
そして、プロセッサ３４は、使用者からの入力による制御を受けつつコンテンツ１２Ｂ乃至１６Ａを選定、参照、取得及び操作し作品１０に組み込む動作を実行するものであり、プログラムに従い稼働する汎用プロセッサ、互いにリンクされておりプログラムに従い制御されつつ稼働するプロセッサ群、専用のシステム乃至サブシステム、それらの任意の組合せ等で構成することができる。こうしたシステムは一般なものであり、それ自体いわゆる当業者にとり周知且つ自明なものであるので、このシステム及びそれを構成する装置の一般的な仕組み及び動作については、本願ではこれ以上説明しないこととする。
【００６４】
Ｃ．作品生成方法
図４に、コンテンツ１２Ｂ及び１６Ａを併含する作品１０を本実施形態に従い制作する方法を示す。本方法によれば、作品１０の制作者や想定受信者に備わる特性に相応する相対的重要性をコンテンツ１２Ｂ及び１６Ａの構造に持たせ、その特性に見合った効果をコンテンツ１２Ｂ及び１６Ａで発生させることができる。また、本方法は、上述したシステム２０のほか、それに対し大略等価なシステムでも実行することができる。これは、いわゆる当業者ならば、本方法に関する以下の説明の熟読で理解できることである。
【００６５】
（ａ）ステップ１３０
ここでは、作品１０の制作を始めるため、制作者に、その作品１０に含めたい叙述コンテンツ１２Ｂを幾つか指定させ、またその作品１０が最終的に採るべき形態を指定させる。コンテンツ１２Ｂに代えそれを代理乃至代表する情報を指定させるようにしてもよい。コンテンツ１２Ｂの指定方法としては様々な方法を採用することができる。例えば、叙述情報ファイル１２Ｃ又はそのリストを指定させる方法でもよい。格納装置、システムその他の叙述コンテンツダウンロード元情報源を指定させる等、コンテンツ１２Ｂを直接入力させる方法でもよい。或いは、コンテンツ１２Ｂの種類を幾通りか特定乃至指定させる方法でもよい。
【００６６】
（ｂ）ステップ１３２
ここでは、指定された叙述コンテンツ１２Ｂが得られる叙述情報ファイル１２Ｃの所在を特定し、そのファイル１２Ｃを参照することで、指定されたコンテンツ１２Ｂをそのファイル１２Ｃから取得する。指定されたコンテンツ１２Ｂが得られるファイル１２Ｃは、制作者にファイル１２Ｃを指定させる等して直接的に特定することができる。指定された格納装置乃至システムからのダウンロード等を通じ自動的に特定することもできる。そのファイル１２Ｃ内の叙述コンテンツ種別識別子１２Ｄに基づく検索等を通じ、参照可能なファイル１２Ｃのなかから、指定された種類のコンテンツ１２Ｂが得られるものを間接的に特定することもできる。
【００６７】
（ｃ）ステップ１３４
このステップ１３４では、ステップ１３２にて叙述情報ファイル１２Ｃから得られた叙述コンテンツ１２Ｂを、ある種の作品条件に従いフィルタリングする。例えば、その作品１０に関し制作者が指定している最終形態に従いフィルタリングすることで、テキスト形態、静止画乃至動画形態、音楽その他の音声データ形態、それらを併含した形態等、その作品１０の想定形態に適合する形態のコンテンツ１２Ｂだけを、その作品１０の構成要素候補として存置させる。また、ステップ１３２及び１３４の実行でコンテンツ１２Ｂを絞りきることができず、その作品１０における上限量乃至所要量を上回る量のコンテンツ１２Ｂが残ってしまうこともある。そうした場合、制作者は、コンテンツ１２Ｂの範囲乃至量が削減されるよう作品条件１３４Ｃを厳しくし、その上でステップ１３２及び１３４を再実行させればよい。そうすれば、その作品１０の趣旨に特に関連のあるコンテンツ１２Ｂのみを存置させることができる。また、この時点で、制作者が直に手を下すこともできる。例えば、ステップ１３２及び１３４の実行後に残ったコンテンツ１２Ｂを自ら個別に検討し、ステップ１３２及び１３４の実行で絞られたコンテンツ１２Ｂの範囲を更に狭めることができる。
【００６８】
（ｄ）ステップ１３６〜１４２
本方法では、ステップ１３６〜１４２にて、指定された叙述コンテンツ１２Ｂに関連する脈絡コンテンツ１６Ａの所在を特定して対応する脈絡情報ファイル１６Ｂから取得する。これから説明する手順では、叙述構造１４Ａを構成している叙述情報ファイル１２Ｃ内のコンテンツ１２Ｂに対応する脈絡コンテンツ１６Ａを取得するため、次に示す諸ステップを実行する。
【００６９】
即ち、
叙述情報ファイル１２Ｃ内脈絡指示子１２Ｅを判別するステップ１３６、
そのファイル１２Ｃ内脈絡指示子１２Ｅ、並びにその作品１０の主体即ち作品関係者に関する主体情報１８Ｂに基づき、演繹的又は帰納的な推論クエリ１８Ａを幾つか生成するステップ１３８、
そのクエリ１８Ａに対する回答１８Ｒとして、そのクエリ１８Ａに見合った脈絡情報ファイル１６Ｂひいてはそこに保存されている脈絡コンテンツ１６Ａを取得するステップ１４０、並びに
そのクエリ１８Ａにて指定した人物、例えばその作品１０の制作者や受信者に対する重要性を調べ、その結果とその作品１０の叙述及び叙述構造１４Ａとに従い、取得済ファイル１６Ｂ内の脈絡コンテンツ１６Ａに優先度を割り当てるステップ１４０、
である。
【００７０】
次に、これらのステップ１３６〜１４２にて実行される動作及びその構成要素に関しより詳細に説明する。なお、以下の説明では、既述の事項であっても諸情報間の関係を理解するのに役立つ事項は繰返しを厭わず採り上げている。
【００７１】
ステップ１３６  …  脈絡指示子１２Ｅの特定
上述の通り、叙述情報ファイル１２Ｃには脈絡指示子１２Ｅが保存されている。その役割は、そのファイル１２Ｃ内の叙述コンテンツ１２Ｂに関連すると覚しき脈絡コンテンツ１６Ａの種類を指し示すことである。同じく上述の通り、本実施形態における指示子１２Ｅは、叙述コンテンツ１２Ｂの一部となるよう生来的且つ暗黙的な形態でファイル１２Ｃに組み込まれている。従って、本実施形態における指示子１２Ｅは、目下処理中のファイル１２Ｃ内の叙述コンテンツ１２Ｂを解析することで特定することができる。その解析は、個々の脈絡骨格１６Ｄひいてはそれに属する脈絡コンテンツ１６Ａを規定する脈絡骨格ルール１６Ｅに従い、実行することができる。
【００７２】
そこで、ここでは、叙述情報ファイル１２Ｃ内脈絡指示子１２Ｅを、多様な叙述コンテンツ１２Ｂの生起を識別可能なルール群で規定乃至構成されている幾つかの脈絡骨格１６Ｄに従い特定する。本実施形態によれば、そうして特定された指示子１２Ｅを使用することで、多様な叙述コンテンツ１２Ｂのうちファイル１２Ｃの解析で特定可能なものを特定することができ、また、一群のファイル１２Ｃに関わる脈絡コンテンツ１６Ａを何らかのかたちで明示乃至暗示する有用な情報片を幾つか得ることができる。なお、以下の説明で示す骨格１６Ｄ及び指示子１２Ｅは作品１０に備わる骨格１６Ｄが単一の例でのそれである。こうしたのは説明の簡明化を図るためであり、以下の説明を拡張し、複数個の骨格１６Ｄを有する作品１０に適用可能にするのは容易なことである。
【００７３】
本実施形態では、脈絡骨格１６Ｄを規定乃至構成する種々のルールで叙述情報ファイル１２Ｃ内脈絡指示子１２Ｅが特定されるので、個々の骨格１６Ｄ及びそれを構成するルール群を、対応する指示子１２Ｅの種類及びその特定に使用可能なルール群に従い、整頓乃至グループ分けしておくのが望ましい。
【００７４】
また、本実施形態では、叙述情報ファイル１２Ｃ内叙述コンテンツ１２Ｂの構成要素乃至構成要素群が解析され、その結果に基づき脈絡指示子１２Ｅが特定されるので、特定される指示子１２Ｅは意味論的情報の構成要素となる。本願でいう「意味論的情報」とは、それを参照することで人間が何らかの意味を捉えることが可能な情報のことである。例えば、それに含まれる語や句の意味がわかるテキスト文書、それに含まれる特定の明暗パターンから何らかの印象例えば一対の目が描かれているとの印象を受ける画像等はそうした意味論的情報の一種である。脈絡骨格１６Ｄにて指示子１２Ｅが一種の意味論的情報となるのは、関連するルール群によって、ある特定の脈絡に関連するものと識別されるからである。骨格１６Ｄを構成しているルール群によって、どういった意味論的情報がその骨格１６Ｄに包括されどういった意味論的情報がその骨格１６Ｄから排除されるかが決まるので、個々の骨格１６Ｄは、全体として、ファイル１２Ｃから取得可能な意味論的情報のうち少なくとも一部分を包括し他部分を排除するものとなる。
【００７５】
脈絡骨格１６Ｄの一例としては、年代や時期に関連するルール群によって規定乃至構成され、幾つかの叙述情報ファイル１２Ｃに係る編年的な脈絡を特定する編年的骨格がある。編年的骨格を規定乃至構成するルールの例としては、まず、そのルールに従いファイル１２Ｃを解析することで、その又はそれらのファイル１２Ｃの取得日時乃至取得時刻を範囲特定することができるルールがある。次に、そのルールに従いファイル１２Ｃを調べることで、その又はそれらのファイル１２Ｃをある時刻に関連付けること、ある特定の出来事が発生した時刻又は年を判別すること、或いはその又はそれらのファイル１２Ｃが単一の出来事、一連の出来事及び幾組かの出来事のうちいずれを表しているのかを判別することができるルールがある。こうした編年的骨格に係る脈絡指示子１２Ｅは、指定されたファイル１２Ｃに付随するメタデータ例えばそれに含まれる日時情報から特定することができる。また、画像、テキスト乃至音声を構成する要素のうち、年代関係乃至年代特性を暗に示すことがわかっているもの等を年代指示子として使用し、ファイル１２Ｃに保存されている叙述コンテンツ１２Ｂを解析することでも、編年的骨格に係る指示子１２Ｅを特定することができる。
【００７６】
脈絡骨格１６Ｄの別例としては、叙述情報ファイル１２Ｃ内脈絡指示子１２Ｅのうち環境的なものに係る環境的骨格がある。この種の骨格を規定乃至構成するルール群としては、その叙述の背景にある周囲条件、例えば天候条件、日照条件、屋内外の別等を判別可能なものを使用する。こうした環境的骨格に係る指示子１２Ｅも、編年的骨格に係るものと同様、メタデータやコンテンツ解析の結果から特定することができる。その際、画像白バランスに関するメタデータ即ち屋内外の別や屋外における明暗度を示す情報等、付加的な外部情報を利用することもできる。
【００７７】
脈絡骨格１６Ｄの更なる例としては、叙述情報ファイル内脈絡指示子のうち社会的なもの、例えばそのファイルに基づく叙述に登場する人物の集団を、その場所毎に特定可能なルール群で規定乃至構成される社会的骨格もある。適切なルールを使用することで、家族的集団、学校内集団、職場内集団等を特定することができる。
【００７８】
政治的骨格、技術的骨格等の脈絡骨格１６Ｄを形成することもできる。例えば、政治家、技術開発水準、競技、教育、地理等の脈絡を示す脈絡指示子を特定可能なものである。
【００７９】
そして、脈絡骨格１６Ｄを規定乃至構成する脈絡ルールは、上述の通り、イエス／ノーの二値ルールでもよいし、確率的乃至統計的なルールでもよい。骨格１６Ｄの種類によっては、経験的に定めた脈絡ルールや、遺伝的アルゴリズムを用いるもの等、いわゆる当業者にとり周知の自動分類法に則り定められた脈絡ルールが使用されることもある。
【００８０】
ステップ１３８  …  推論クエリ１８Ａの生成
ここでは、主に検索条件及び主体情報１８Ｂからなる推論クエリ１８Ａを演繹的又は帰納的な論理に従い生成する。検索条件は、ステップ１３６にて特定した脈絡指示子１２Ｅに従い対応する脈絡コンテンツ１６Ａを特定し、そのコンテンツ１６Ａの項目間に存在すると見られる脈絡的関係を調べることで導出された条件であり、これを適用することでそうした関係を特定することができる。主体情報１８Ｂは、作品関係者を特徴付ける情報や作品関係者に関係する情報からなるデータである。こうしたクエリ１８Ａを発すると、回答１８Ｒとして、何らかのかたちで作品関係者間に存しうる関係、関連乃至相関を示す情報や、その作品１０の叙述コンテンツ１２Ｂに帰属乃至関連する脈絡コンテンツ１６Ａを示す情報が得られる。なお、以下の説明で作品関係者数を一人、クエリ個数を１個にしているが、これは説明の簡明化を図るためである。以下の説明を拡張し、作品関係者数やクエリ個数が２以上の例に適用可能にするのは容易なことである。
【００８１】
主体情報１８Ｂは幾つかの知識ベース（ＰＫＢ）１８Ｃから得ることができる。知識ベース１８Ｃは作品関係者即ち主体に関する情報が得られるデータベースであり、家族史、学歴、職歴、社交歴、病歴、成長歴その他の伝記的情報や、個人的な性格、嗜好及び習癖を含め、作品関係者についての様々な種類、様々な形態の情報をそこから得ることができる。また、脈絡指示子１２Ｅは、上述の通り、種々の脈絡コンテンツ１６Ａを特定し、その作品１０の叙述コンテンツ１２Ｂ及びその取得元ファイル１２Ｃそれぞれに関連付けている。
【００８２】
推論クエリ１８Ａの生成は、ステップ１３６の実行により特定された脈絡指示子１２Ｅと作品関係者に関するデータである主体情報１８Ｂとを比較し、その指示子１２Ｅと主体情報構成項目との間の一致、相関乃至関係を識別することで実行する。こうして得られるクエリ１８Ａは、いずれも、その作品１０の叙述コンテンツ１２Ｂから得られた指示子１２Ｅと主体との間に存しうる一致、相関乃至関係を表すと同時に、対応する指示子１２Ｅ及びそれに関連する主体情報構成項目を特定するものとなる。例えば、ある作品関係者に関する主体情報１８Ｂにその人物の学歴を示すデータが含まれている場合、そのデータから、その人物が通っていた学校や期間を指定するクエリ１８Ａを得ることができる。即ち、ある作品１０の叙述情報ファイル１２Ｃ内指示子１２Ｅから、それらのファイル１２Ｃがある特定の年に得られたものであることがわかり、且つ知識ベース１８Ｃ上の情報から、その作品１０に関連する人物がその年にある学校に通っていたことがわかる場合、その又はそれらのファイル１２Ｃについては、その学校やその年にその学校に通っていた人物達に関するクエリ１８Ａが生成されることとなろう。
【００８３】
ステップ１４０  …  該当する脈絡コンテンツ１６Ａの取得
ここでは、ステップ１３８で生成した推論クエリ１８Ａを用い、該当する脈絡コンテンツ１６Ａの検索、所在特定及び取得を実行する。これを実行することで、脈絡指示子１２Ｅに対応するコンテンツ１６Ａ、そのクエリ１８Ａで指定した人物に係る主体情報１８Ｂ等、関連する情報を得ることができる。
【００８４】
ステップ１４２  …  重要性に基づく脈絡コンテンツ１６Ａへの優先度割当
ここでは、上述の通り、その作品１０の叙述及び叙述構造１４Ａや、推論クエリ１８Ａにて指定した人物乃至主体に対する脈絡コンテンツ１６Ａの重要性に従い、取得した脈絡情報ファイル１６Ｂに保存されているコンテンツ１６Ａに優先度を割り当てる。
【００８５】
取得した脈絡コンテンツ１６Ａの構成諸項目それぞれに備わる重要性は、推論クエリ１８Ａを用いた検索乃至その繰返しを通じ発見した脈絡情報ファイル１６Ｂ及びそれに保存されているコンテンツ１６Ａの性質や、それらと対応する人物乃至主体との間に存する関係によって左右される。例えば、ファイル１６Ｂ及びそれに保存されているコンテンツ１６Ａのうち、作品関係者に対し直接的乃至密接な関係を呈するものには高い優先度が割り当てられる。即ち、ファイル１６Ｂに関わる学校を検索する上掲の例であれば、作品関係者が通っていた頃の学校の姿がわかるコンテンツ１６Ａ及びその取得元ファイル１６Ｂに付与される優先度の方が、その学校の現在の姿を捉えたコンテンツ１６Ａ及びその取得元ファイル１６Ｂに付与される優先度に比べて高くなる可能性が高い。同様に、その頃その学校にその作品関係者が実際に通っていたことを示しているコンテンツ１６Ａ及びその取得元ファイル１６Ｂには、より高い重要性が認められて更に高い優先度が付与されることとなろう。
【００８６】
まとめるなら、これは、コンテンツ１２Ｂ乃至１６Ａの諸項目に備わる相対的重要性の度合いが出来事乃至事物の種類毎に異なりうるということである。従って、一般には、重要性の種類及び度合いを弁別することで、個別の作品１０の狙いや目的から見て有用な情報が得られる。例えば、その出来事乃至事物の影響を受ける集団の規模やその影響の強度及び継続期間で重要性の度合いが大きく左右されるので、大きな集団に強い影響を短期間に限り及ぼす叙述コンテンツ１２Ｂと、大きな集団に弱い影響を長期間に亘り及ぼす叙述コンテンツ１２Ｂとを区別し、その間に様々な中間水準の重要性を設定することが、作品１０における叙述上の狙い及び目的を達成する上で、有益なことになる場合がある。同様に、共有される脈絡コンテンツ１６Ａ、例えばある集団に属する人物達の年代が同じで経歴が似ているといったことは、その作品１０の関係者にとり際立った重要性を呈しそうなコンテンツ１２Ｂ乃至１６Ａの特定に助けとなりうる。
【００８７】
なお、出来事や事物の重要性を測る手段が多数ありその多くが本件技術分野で周知であることや、上述した結果を得るための重要性計測システムを発明実施上の要請、条件及び目的に従い任意に構成できることに、留意されたい。
【００８８】
また、関連、重要性及び優先度に関する判別乃至計測条件に実質的に範囲制限がないことや、出来事、人物その他の要因間の関係を評価乃至表現しうる条件であればどのような条件でもその範囲に含めうることや、出来事及び人物以外の要因として社会、経済、歴史、政治等に関する要因を採用できることにも、留意されたい。
【００８９】
ステップ１４４  …  脈絡コンテンツ１６Ａの選定及び組込
ここでは、特定及び取得され更にステップ１４２にて優先度別に序列化された脈絡情報ファイル１６Ｂ及びそれに保存されている脈絡コンテンツ１６Ａを、対応する叙述情報ファイル１２Ｃ及びそれに保存されている叙述コンテンツ１２Ｂに関連付けつつ作品１０に組み込む。
【００９０】
このとき、ステップ１４２までに特定されたものであればどの脈絡情報ファイル１６Ｂ、どの脈絡コンテンツ１６Ａも作品１０に組み込むことができるが、それらのファイル１６Ｂの個数やコンテンツ１６Ａの量が多すぎ、その作品１０で想定している規模乃至範囲を上回ってしまうことや、さほど重要でないコンテンツ１６Ａによって比較的重要なコンテンツ１６Ａの影響が希釈されてしまうこともある。そのため、その作品１０で想定されている限度内に収まるよう、或いは適切な影響がもたらされるよう、ファイル１６Ｂの個数やコンテンツ１６Ａの量を抑え又は制限した方がよい。作品１０に組み込まれるファイル１６Ｂの個数やコンテンツ１６Ａの量を抑え又は制限するに当たっては、様々な方法を使用すること及び様々な条件を適用することが可能である。例えば、作品条件１３４Ｃ、ステップ１４４にて割り当てた優先度、ファイル１６Ｂの個数、ファイル１６Ｂに保存されているコンテンツ１６Ａの規模、形態例えば脈絡骨格１６Ｄ、作品関係者、作品１０の叙述対象や種類、それらの任意の組合せ等、所定の指標に従いファイル１６Ｂやコンテンツ１６Ａを選定乃至制限することができる。コンテンツ１６Ａの選定を経験的に実行させることや、事前又は事後に定められた条件乃至条件群に従い自動実行させることや、その作品１０の制作者がファイル１６Ｂ乃至コンテンツ１６Ａを個別に精査することで実行すること等も可能である。
【００９１】
また、本実施形態によれば、前もって取得しておいたファイル１２Ｃ乃至１６Ｂからコンテンツ１２Ｂ乃至１６Ａを組み込むことだけでなく、コンテンツ１２Ｂ乃至１６Ａをリアルタイム取得して組み込むことも可能であるので留意されたい。そうしたリアルタイム取得は、例えばその作品１０を受信者の面前で制作、実演、表示等する際に行うことができる。例えば、図３Ａに示したシステムのように、連続的に稼働させうるよう編集場所７０に個人用の画像モニタ装置及び音声センサをセンサやモニタと併設したシステムならば、個人向けに出来事や叙述対象を表示させる際にそのなかから重要なものを選定し、選定された出来事や叙述対象を撮影なり記録なりすることができる。
【００９２】
また、図３Ｂに示した例では、制作者７２が図示の如く実演場所７１に赴き、自分の身に起こった出来事を詳しく語っている。制作者７２が語るとその声が音声センサ３９で検知、信号変換され、音声信号として叙述情報ファイル１２Ｃに保存される。システム側では、そのファイル１２Ｃに保存されている叙述コンテンツ１２Ｂを調べ、幾つかの脈絡骨格１６Ｄを規定又は構成するルール群に照らし解析することで、そのファイル１２Ｃに保存されている脈絡指示子１２Ｅを調べる。次いで、判明した指示子１２Ｅを制作者７２用の知識ベース１８Ｃに適用して推論クエリ１８Ａを生成し、それらのクエリ１８Ａを実行して作品関係者例えば制作者７２にとり重要な脈絡情報ファイル１６Ｂを取得する。こうした形態で取得されるため、そのファイル１６Ｂは、その語り聞かせの叙述コンテンツ１２Ｂに対しても重要なものとなる。そのため、そのファイル１６Ｂは、叙述対象としてその作品１０に自動組入される。図示例ではその実演場所７１にて制作者７２が自分のことを語っているので、ファイル１２Ｃ及び１６Ｂについての情報をローカルディスプレイ６６の画面上に表示させ、制作者７２に伝えることで、これを実行することができる。制作者７２は、表示されているファイル１６Ｂのうちいずれかを選んで視聴者７５との共有を図ることも、ファイル１６Ｂに関する表示に従い物語の粗筋を追加乃至修正することもできる。自分の体験を語り続けている制作者７２に向け、ファイル１６Ｂ内にある地図、写真、文書、音声等の情報を表示させることもできる。その際、制作者７２がクエリ１８Ａを作成する必要はない。制作者７２は、表示されているファイル１２Ｃ及び１６Ｂを、記憶や更なる情報を呼び起こす刺激や契機として用いナレーションを追加することができる。同じ内容を視聴者向けに表示させることもできる。ファイル１２Ｃ及び１６Ｂに関する表示を無視することもできる。これらを一回の実演中の様々な時点で実行することができる。同一又は類似の物語が詳かに語られるたび、ファイル１２Ｃ及び１６Ｂに基づく叙述はその姿形を変えていく。その姿形変化により、制作者７２、実演者、視聴者７５等の意向が汲まれ、制作者７２や実演者の語りに必要な事柄をより好適に処理、充足することができるようになる。
【００９３】
Ｄ．データベース構造  …  図６
本実施形態では、作品１０を制作するに当たりシステム２０が複数のデータベース構造を利用し上述の諸機能及び諸機構を稼働させる。
【００９４】
本実施形態で使用されうるデータベースのうち、図７を参照して後に詳述する知識ベース（ＰＫＢ）２００は、対応する作品１０の主体即ち作品関係者に関する情報で構成されている。図８に示す叙述情報ファイルデータベース（ＣＤＦ−ＤＢ）２１０は、叙述情報ファイル１２Ｃに保存されている情報を特徴付ける情報で構成されている。図９に示す指定叙述情報ファイルデータベース（指定ＣＤＦ−ＤＢ）２２０は、作品１０への組込対象として指定されたファイル１２Ｃに保存されている情報を特徴付ける情報で構成されている。後により詳細に説明する通り、指定叙述情報ファイルデータベース２２０に登録されているファイル１２Ｃは、叙述情報ファイルデータベース２１０に登録されているファイル１２Ｃのうち作品１０への組込対象として特別に指定されたもの、即ち叙述情報ファイルデータベース２１０上である特別なまとまりを形成するものである。
【００９５】
また、図１０に例示する叙述構造データベース（プロダクトＤＢ）２３０は、作品１０の叙述構造１４Ａを規定し特徴付ける情報で構成されている。
【００９６】
そして、図１１に例示するリンクデータベース２４０は、作品１０内の叙述節１２Ａ、叙述情報ファイル１２Ｃ、脈絡情報ファイル１６Ｂ、叙述構造１４Ａ等を互いに関連付けるリンク１４Ｂについての情報で構成されている。
【００９７】
（ａ）知識ベース２００  …図７
次に、これらのデータベース構造について個別且つ詳細に説明する。まず、知識ベース２００は、上述の通り、主体たる作品関係者に関係乃至関連する主体情報１８Ｂを保存する機構となっている。図７に示す通り、知識ベース２００は幾つかのエントリ２００Ｅを有しており、そのエントリ２００Ｅはそれぞれ一連の情報フィールド２０２を有している。個々のフィールド２０２に保存されるのは、対応する人物乃至集団に関する伝記的、社会的、行動論的乃至心理学的情報である。個々のフィールド２０２への情報保存は、そのフィールド２０２にその情報自体を保存する形態で行ってもよいし、その情報が保存されているレポジトリへのロジカルリンク２０４を保存する形態で行ってもよい。保存されるリンク２０４は、一部、ヌルリンクになることがある。
【００９８】
伝記的、社会的、行動論的乃至心理学的情報を発生させ知識ベース２００内情報フィールド２０２に保存する方法は、直接的な方法でも間接的な方法でもかまわない。直接的な方法としては、例えば、質問への回答や質問書への記入を相応の人物乃至集団に求める方法がある。間接的な方法としては、その人物乃至集団の公的記録を調べる、挙動を監視する、ある種の刺激に対する随意的乃至不随意的反応を記録する、何らかの手法で集めた情報に基づきその人物乃至集団についての情報を演繹的乃至帰納的推論で導出する、等の方法がある。
【００９９】
（ｂ）叙述情報ファイルデータベース２１０  …  図８
叙述情報ファイルデータベース２１０は、叙述情報ファイル１２Ｃに保存されている情報を特徴付ける情報の登録機構を構成している。作品１０の叙述構造１４Ａによって個々の叙述節１２Ａに叙述情報ファイル１２Ｃが関連付けられているので、このデータベース２１０を参照することで、そのファイル１２Ｃが個々の節１２Ａに対し呈する全般的な重要性及び妥当性や、そのファイル１２Ｃが作品１０の種別に対し呈する全般的な重要性及び妥当性に従い、ファイル１２Ｃを特定、評価、分類、ソート、整頓等することができる。例えば、制作者、想定視聴者等に関する情報を参照できるのであれば、叙述コンテンツ１２Ｂが呈する重要性に従い対応するファイル１２Ｃを分類、ソート及び整頓して対応する節１２Ａに関連付けることができる。更に、本実施形態によれば、重要なことに、作品関係者の変化や想定視聴者からの反応の変化を、対応するデータベース２１０ひいてはその作品１０の叙述へと容易に反映させることができる。こうした変化はリアルタイムに組み込んで発動させることができる。例えば、作品１０の表示中に視聴者からの生の反応を直接フィードバックさせればよい。従って、制作者・視聴者間の双方向的な協働で作品１０を修正することが可能となる。また、データベース２１０を利用することで、そうした変化を作品１０に直に組み込み、その作品１０の次のバージョンに伝えることができるので、環境や視聴者の変化に合わせ作品１０を修正すること、世間の話題から外れないよう作品１０を更新すること等も可能となる。
【０１００】
図８に示すように、叙述情報ファイルデータベース２１０はそれぞれ幾つかの叙述情報ファイルエントリ２１０Ｅを有しており、そのエントリ２１０Ｅはそれぞれ叙述情報ファイル１２Ｃに対応付け及び関連付けされている。データベース２１０内エントリ２１０Ｅはそれぞれ複数個の条件フィールド２１２を有しており、そのフィールド２１２はそれぞれ所与の条件、即ちそのエントリ２１０Ｅに係るファイル１２Ｃの特定側面を特徴付ける条件に関連付けられている。図示例では、更に、エントリ２１０Ｅを構成し且つ個々の条件フィールド２１２に対応するフィールドとして、その条件フィールド２１２に係る特徴的情報が保存される条件値フィールド２１４も設けられている。
【０１０１】
叙述情報ファイルエントリ２１０Ｅに頻出する条件フィールド２１２としては、まず、どの叙述情報ファイルデータベース２１０にも備わっていなければならないファイル識別子フィールド２１６がある。これは、一意に特定できるよう叙述情報ファイル１２Ｃに一意に対応付けられている。データベース２１０内フィールド２１２としては、更に、分類識別子フィールド２１４や小分類識別子フィールドを幾つか設けることができる。これらを参照することで、対応するファイル１２Ｃの帰属先分類乃至小分類、例えば分類「誕生日」や小分類「二月の誕生日」を特定することができる。こういった分類乃至小分類及びそれに対応する識別子は、例えば、トップダウン方式やボトムアップ方式で規定乃至付与することができ、また作品１０の脈絡や脈絡骨格１６Ｄを規定する際等に使用することができる。注記すべきことに、個々のファイル１２Ｃに関連付けうる分類乃至小分類の個数には事実上限界がない。
【０１０２】
その他の条件フィールド２１２としては、叙述情報ファイル１２Ｃ内コンテンツ１２Ｂ又はそれに対応する脈絡情報ファイル１６Ｂ内コンテンツ１６Ａの種類に関する出来事／種別識別子フィールドがある。このフィールドには、対応する節に係るコンテンツがスポーツ、宗教、政治、文化及び学校のいずれにおける出来事乃至事物に関するものか、そのコンテンツはどのような種類か、そのコンテンツはどのような人物、集団、対象物、条件乃至環境に係るものか等を示す情報が保存される。
【０１０３】
叙述情報ファイルエントリ２１０Ｅ内条件フィールド２１２に保存されうる情報としては、更に、個々の叙述節１２Ａに係る叙述コンテンツ１２Ｂに備わる重要性の度合いを示す情報、その作品１０の叙述コンテンツ１２Ｂに対しその作品１０の他の叙述コンテンツ１２Ｂ、脈絡コンテンツ１６Ａ又は作品関係者が呈する関連性の度合いを示す情報等がある。上述の通り、個別のコンテンツ１２Ｂ乃至１６Ａに備わる重要性は、総じて、そのコンテンツ１２Ｂが対応する節１２Ａにどのような影響を及ぼすか、その影響の作用先人数・厳しさ・継続期間が如何ほどか、その影響に起因する変化の質・量がどのようなものかによって表現、規定乃至左右されるほか、その影響がどのような空間乃至個所で発生するのか、そのコンテンツの影響が及ぶ叙述乃至脈絡コンテンツ構成項目がいくつあるか等によっても左右されうる。
【０１０４】
叙述情報ファイルエントリ２１０Ｅの更に他の条件フィールド２１２に保存されうる情報としては、図８に示す通り、対応する叙述コンテンツ１２Ｂが存する媒体の種別例えば画像用・音声用・テキスト用の別、そのコンテンツ１２Ｂの物理的側面例えばサイズや分解能、そのコンテンツ１２Ｂが存する媒体の種別細目例えば関係的・時代的・象徴的の別、そのコンテンツ１２Ｂを取得した日付や場所、そのコンテンツ１２Ｂの所有権に関する情報等がある。
【０１０５】
なお、分類の手法及び形態としては、目下処理中の作品１０に相応しい条件フィールド２１２を選定乃至生成するのに適するものである限りどのようなものを適用してもよい。これまでの説明から明らかな通り、得られた脈絡ルールのうち対応するものがフィールド２１２に適用されるので、使用した分類法に従いその作品１０における脈絡骨格１６Ｄ及び脈絡指示子１２Ｅが生成、規定されることとなる。更に、フィールド２１２も、例えばトップダウン方式やボトムアップ方式で規定乃至付与することができ、また構造化されているかされていないかを問わずコンテンツ１２Ｂ乃至１６Ａに適用することができる。
【０１０６】
（ｃ）指定叙述情報ファイルデータベース２２０  …  図９
図９に、叙述情報ファイル１２Ｃのうち作品１０への組込対象として指定されたものを特徴付ける情報が保存される指定叙述情報ファイルデータベース２２０の一例を示す。先にそのあらましを述べた通り、このデータベース２２０はそれぞれ幾つかのエントリ２２０Ｅを有しており、そのエントリ２２０Ｅはそれぞれ幾つかの条件フィールド２２２及びそれに対応する条件値保存用フィールド２２４を有している。個々のエントリ２２０Ｅに設けるフィールド２２２及び２２４の種類は、図８を参照して説明した叙述情報ファイルエントリ２１０Ｅ内フィールド２１２及び２１４のそれと一部又は全部共通するものでかまわない。エントリ２２０Ｅは叙述情報ファイルエントリ２１０Ｅの特殊な形態であり、その用途は一群のファイル１２Ｃの選定、指定乃至整頓に限られる。
【０１０７】
指定叙述情報ファイルデータベース２２０及びそのエントリ２２０Ｅは、例えば個人的な形態にすることも局所的な形態にすることもできる。図９に示した例では、作品関係者に対する相対的重要性に従い叙述情報ファイル１２Ｃをソートすることで、個人的なエントリ２２０Ｅからなるデータベース２２０が形成されている。そのエントリ２２０Ｅは、制作者が個人的なファイル１２Ｃ乃至１６Ｂの集合から作成乃至選定した素材を含んでいる。個人的なファイル１２Ｃ乃至１６Ｂとは、作品関係者に対し個人的な遠近度、重要性乃至関係を有するコンテンツ１２Ｂ乃至１６Ａが保存されているファイル１２Ｃ乃至１６Ｂのことである。制作者所縁の街を捉えた画像がその例であるといえよう。何故なら、そうした画像は制作者にとり重要で、その作品１０の一部登場人物にとってもやはり重要で、制作者と同じ地域出身の実演者及び視聴者、特に同じ時期に居住していた人達にとっても恐らくは重要であるからである。従って、その人の写真、映画、家族の功績を讃える地方新聞の記事、その人が生み出した芸術作品、その人や家族の業績に関する文書その他の記録物等といったコンテンツが保存されているファイル１２Ｃは、いずれも、個人的なエントリ２２０Ｅに係るものであるといえよう。
【０１０８】
他方、局所的な指定叙述情報ファイルデータベース２２０及びそのエントリ２２０Ｅに登録される叙述情報ファイル１２Ｃ及びそれに保存されている叙述コンテンツ１２Ｂは、作品関係者にとっての重要性が、作品関係者にとって割合に迂遠であり個人的とはいえない関係に基づいているため割合に低いもの、作品関係者にとっての重要性が他の作品関係者との関係に基づいているもの、或いはより狭い範囲乃至種類の関係に基づいているものである。例えば、その作品関係者にとっての重要性が、低又は中水準に留まってはいるもののその他大勢にとっての重要性よりも高いものである。局所的なエントリ２２０Ｅに係るコンテンツ１２Ｂの例としては、このほか同世代人に係るものがある。同世代人は、同じ場所にいたわけではないが少なくともある程度の知覚的経験を広く共有しているので、事実上又は知覚上共有している経験の度合い乃至範囲に基づく局所的且つ相互的な相対的重要性の度合いが、全体として有用な水準に達することがある。
【０１０９】
そして、指定叙述情報ファイルデータベース２２０の機能を他のデータベース構造にて実現することもできる。フィールド、ビュー、メタタグ等、データベース分野で周知のツールを使用すればよい。
【０１１０】
（ｄ）叙述構造データベース２３０  …  図１０
上述の通り、作品１０の構造乃至組織は叙述を土台にしているのが普通である。叙述は、その叙述を構成する叙述情報ファイル１２Ｃ及びそこに保存されている叙述コンテンツ１２Ｂで形成又は表現される概念間の時空間的関係を規定する。また、これも上述の通り、作品１０のコンテンツは、その叙述構造１４Ａを形成している諸叙述節１２Ａを縦貫するよう粗筋１２Ｐに沿って受信者に届けられる。諸節１２Ａに係るコンテンツ１２Ｂ及び１６Ａは、首尾一貫した表現となるようその作品１０の構造１４Ａに従い配列される。
【０１１１】
図１０に、作品１０の叙述構造１４Ａを規定する叙述構造データベース２３０の一例を示す。図示の通り、このデータベース２３０は幾つかのエントリ２３０Ｅを有しており、そのエントリ２３０Ｅはそれぞれ幾つかの条件フィールド２３２を有しており、そのフィールド２３２はそれぞれ記述子フィールド例えば２３４及び２３６を有している。図示例では、そのフィールド２３４及び２３６に、作品１０の構造１４Ａを規定する情報、その構造１４Ａにおける叙述節１２Ａ間関係を規定する情報、それらの節１２Ａに係る叙述情報ファイル１２Ｃの素性、その一種たるファイル１２Ｃの状態を特定する情報等が保存されている。
【０１１２】
叙述構造エントリ２３０Ｅ内条件フィールドは、そこに通常はどのような叙述構造情報が保存されるかにより細分することができる。第１の例は、作品１０を一意に特定可能な作品識別子２３８がその記述子フィールド２３４に保存されるものである。第２の例は、叙述構造１４Ａ内叙述節１２Ａのうち対応するものを一意に特定可能な識別子が保存される幾つかのフィールドである。
【０１１３】
条件フィールド２３２並びにその記述子フィールド２３４及び２３６の例としては、対応する叙述節１２Ａが占める場所を特定する情報が保存されるものがある。叙述構造１４Ａ自体で占める場所でもよいし、作品１０による叙述のなかで占める場所でもよいし、実世界のなかで占める場所でもよい。実世界のなかで占める場所は、例えば、「１９９３年春〜１９９４年秋のシカゴ」、「１１月１１日水曜日午前１時のニューヨーク」等と表すことができる。「夏の日の小都市」等といった一般的な表現を使用してもよい。
【０１１４】
条件フィールド２３２並びにその記述子フィールド２３４及び２３６の例としては、対応する叙述節１２Ａが叙述構造１４Ａにて担う役割を特定する情報が保存されるものがある。節１２Ａが演じうる役割には、脈絡を設定する役割、序破急を演出する役割等がある。こうした役割を特定することによって、対応する叙述情報ファイル１２Ｃをより華麗に特定してソートし、その作品１０における叙述の流れ及びパターンをより速やかに特定することが可能となる。脈絡を設定する役割に係るファイル１２Ｃは、重要性は低水準だがその継続時間が長いため広範な露出を伴う図式により記述することができる。序破急を演出する役割に係るファイル１２Ｃは、継続時間は短いが重要性が高水準で近接性を呈する関係、例えば作品関係者との密接な関係に依拠したものとなろう。
【０１１５】
叙述構造エントリ２３０Ｅ内条件フィールド２３２並びにその記述子フィールド２３４及び２３６の例としては、更に、叙述情報ファイルデータベース２１０でのそれと同様の情報が保存されるものがある。例えば、大団円及び演出に期待される特性や媒体種別に従い節を記述した情報が保存されるものである。これがあれば、システム２０側では、制作者や実演者の狙いに生じた変化や視聴者からの反応に対し、配信用作品を速やかに適合させることができる。
【０１１６】
叙述構造データベース２３０内条件フィールド２３２及びその記述子フィールドとしては、このほか、その配信用作品を構成することとなる叙述情報ファイルの収集、編集及び提供を管制する総合的ルールが保存されるものを設けることができる。
【０１１７】
（ｅ）リンクデータベース２４０  …  図１１
叙述構造１４Ａ内叙述節１２Ａは、それぞれ、同じ構造１４Ａに属する他の要素のうち幾つかに至るリンク１４Ｂ、例えば節１２Ａ、叙述情報ファイル１２Ｃ、脈絡情報ファイル１６Ｂ、ファイル１２Ｃ乃至１６Ｂ保存用レポジトリ等に至るものを有している。それらのリンク１４Ｂは、それぞれ、必須、随時、アクティブ、非アクティブ等、複数通りある機能状態のうち幾通りかの機能状態を採りうる。その機能状態は、例えば、その作品１０の提供中に修正することができる。自動修正でも制作者や実演者による操作を受けた修正でもかまわない。それにより、視聴者に提供される情報をその視聴者からの反応に適合させることができる。
【０１１８】
叙述節１２Ａ以外では、叙述情報ファイル１２Ｃ、脈絡情報ファイル１６Ｂ、それらの保存用レポジトリ等に対するリンク１４Ｂや、それらに発するリンク１４Ｂを、様々な相互結合度で設けることができる。制作者や実演者は、ファイル１２Ｃ及び１６Ｂのうち適切なものに至るリンク１４Ｂを指定することで、例えば、１９５５年のシカゴ湖畔でよく見られた光景を表示させることができる。その指定により、必須、随時、非アクティブ等の機能状態を有する他の幾通りかのリンク１４Ｂが生じることもある。このように、本実施形態には、目下指定されている節１２Ａの先を読む能力が備わっている。即ち、指定された節１２Ａに続く幾つかの節１２Ａまでリンク１４Ｂの連鎖を辿り、作品関係者にとり重要が高いと見られるファイル１２Ｃ乃至１６Ｂを識別、所在特定及びソートすることができる。
【０１１９】
本実施形態では、叙述節１２Ａ、叙述情報ファイル１２Ｃ、脈絡情報ファイル１６Ｂ、ファイル１２Ｃ乃至１６Ｂ保存用レポジトリ等の間を叙述構造１４Ａ内で様々な強度にて結合するリンク１４Ｂを示す情報が、幾つかのリンクデータベース２４０、例えば図１１に例示するものに保存される。上述したデータベース構造では、この図に示す通り、そのデータベース２４０がそれぞれリンク１４Ｂに対応するエントリ２４０Ｅを幾つか有しており、そのエントリ２４０Ｅがそれぞれ幾つかの条件フィールド２３２を有しており、更にその条件フィールド２３２がそれぞれ記述子フィールド例えば２３４及び２３６を有している。そのフィールド２３４及び２３６には、構造１４Ａ内リンク１４Ｂのうち対応するものや、そのリンク１４Ｂで関連付けられている節１２Ａ、ファイル１２Ｃ乃至１６Ｂ、ファイル１２Ｃ乃至１６Ｂ保存用レポジトリ等や、そのリンク１４Ｂによる結合の強度といったものを、特定、構成乃至規定する情報が保存されている。
【０１２０】
条件フィールド２３２並びにその記述子フィールド２３４及び２３６の例としては、作品１０を一意に特定可能な作品識別子２３８が保存されるものがある。また、叙述構造１４Ａ内叙述節１２Ａのうち対応するものを一意に特定可能な識別子が、その記述子フィールド２３４に保存される条件フィールド２３２もある。
【０１２１】
条件フィールド２３２並びにその記述子フィールド２３４及び２３６の例としては、更に、叙述構造１４Ａ内リンク１４Ｂのうち対応するものを一意に特定可能な識別子が保存されるものがある。また、そのリンク１４Ｂで関連付けられている要素例えば他の叙述節１２Ａ、ファイル１２Ｃ乃至１６Ｂ又はその保存用レポジトリの素性、種別又はそれに対する結合の強度を特定する情報が保存されるものもある。更に、そのリンク１４Ｂの保存場所を特定する情報が保存されるものがある。リンクで形成される分類又は小分類のうちそのリンク１４Ｂが属するものを幾つか特定する情報が保存されるものもある。対応する節１２Ａが構造１４Ａ自体のなかで占める場所を特定する情報が保存されるものもある。
【０１２２】
条件フィールド２３２並びにその記述子フィールド２３４及び２３６の例としては、また、そのリンク１４Ｂを介し関連付けられている要素の種別が保存されるものがある。その要素に対する関係を示す情報が保存されるものもある。そのリンク１４Ｂで表されている関係の重要性を示す情報が保存されるものがある。そのリンク１４Ｂで関連付けられている要素の特性例えば大団円、演出、媒体種別、取得日又は所有権に関しそのリンク先要素に期待される特性に関する情報が保存されるものもある。
【０１２３】
Ｅ．データベース構造の生成及び使用  …  図１２Ａ〜図１２Ｅ及び図１３
本発明の構成要素に関し縷々説明した通り、作品１０の主体即ち作品関係者とその作品１０の叙述コンテンツとの間の関係は、その作品１０に組み込むべき脈絡コンテンツの特定乃至選定に当たり特に重要なものである。図１２Ａに、叙述コンテンツ１２Ｂとそのコンテンツ１２Ｂとを含む作品１０の関係者との間に生じる関係や、その関係の成り立ちを示す。
【０１２４】
この図に示す通り、作品関係者とその作品１０の叙述情報ファイル１２Ｃとを関連付ける処理は、初期的な個人知識ベース２００、初期的な叙述構造データベース２３０並びに初期的な指定叙述情報ファイルデータベース２２０を以て始まる。
【０１２５】
それらのうち初期的な個人知識ベース２００には、自明な通り個人情報が保存されている。これを参照することで、その情報に係る人物にとって重要そうなコンテンツ１２Ｂ乃至１６Ａの種類及びその細目を発見、特定、演繹乃至推論することができる。初期的な知識ベース２００に保存されており参照可能な情報の例としては、その人物の個人的な経歴、関心事項、経験及び性格についての情報、例えば心理学的性向、趣味、物品購入履歴、本業、副業、交友関係、金回り、文化的指向、家族関係等に関する情報を挙げることができる。他方、初期的な指定叙述情報ファイルデータベース２２０には叙述コンテンツ１２Ｂが保存されている。これを参照することで、その作品１０に体現されている叙述のうち、本質的且つ基本的に明白、自明乃至演繹可能な側面及び要素を知ることができる。即ち、そのコンテンツ１２Ｂを参照することで、場面設定／変遷、描写、性格設定、環境及び演技の基本構成要素、いわゆる「いつ誰がどこで何をどうするか」を知ることができる。
【０１２６】
図１２Ｂに、これら初期的な個人知識ベース２００、初期的な叙述構造データベース２３０及び初期的な指定叙述情報ファイルデータベース２２０の相互作用を通じ、作品関係者とその作品１０の叙述コンテンツとの間に生じている又は生じうる関係を特定する処理を示す。図示の通り、本実施形態では、それらのデータベース２００、２３０及び２２０に保存されている情報間に生じうる組合せ及び当該情報間に生じうる相関を特定することができるよう、データベース２００、２３０及び２２０から得られる情報を組み合わせることで、組合せクエリ２４１を幾つか生成する。
【０１２７】
同図に示したのは組合せクエリ２４１が１個の例である。叙述情報ファイルデータベース２１０、指定叙述情報ファイルデータベース２２０及び叙述構造データベース２３０を含め、システム２０から参照可能でコンテンツ１２Ｂ乃至１６Ａをもたらしうる情報源は、いずれも、生成されたクエリ２４１それぞれによる質問乃至検索を受ける。次いで、その検索で得られたもの全て、即ちその検索で特定された情報２４２の識別子全てを検討に回付する。この検討では、それらの情報２４２のうちその作品１０への組入に相応しく且つ適切なものを、作品１０への組入候補素材として特定する。
【０１２８】
組合せクエリ２４１による情報２４２の特定が済んだら、図１２Ｃに示す如く、それらの情報２４２のコピーのうち必要なものを参照乃至取得し、個別のコンテンツ１２Ｂ乃至１６Ａに対するリンク１４Ｂをそれらのコピーから検出し、検出したリンク１４Ｂを保持データベース、叙述情報ファイルデータベース２１０及びリンクデータベース２４０のうち幾つかに保存する。特定された情報２４２は、次いで、その作品１０に含めるべきか否かの検討に供される。これは、例えば制作者、実演者又はその代理人が実行する。或いは、システム自体が所定の条件に従い実行する。
【０１２９】
次いで、適切で関連性のあるコンテンツ１２Ｂ乃至１６Ａを含んでいて作品１０に含めうると認められた情報２４２を、図１２Ｄに示す如く、個人知識ベース２００、叙述構造データベース２３０及び指定叙述情報ファイルデータベース２２０のうち幾つかに保存する。そうした情報２４２が保存されることで、そこに保存されているコンテンツ１２Ｂ及び１６Ａや、個人的興味が、更にはっきりと且つ更に細かく規定されることとなる。
【０１３０】
Ｆ．仮想展望  …  図１２Ｅ
個別コンテンツの重要性は上述の展望により左右される。その展望は、作品１０に体現されている叙述に現れる具体的な状況下で、そのコンテンツが特定の人物、集団乃至階層に対し呈する重要性として、定義することができる。展望は、そのコンテンツに対するその人物乃至集団の関係、例えば、その出来事との時間的又は空間的な遠さ乃至近さを指す時空間的遠近度や、そのコンテンツに対する個人的な関わり方の程度を指す個人的遠近度乃至個人的影響度や、そのコンテンツが知覚される叙述上のポイントを指す叙述展望で左右される。
【０１３１】
この点との関連でいえば、上述の通り、ファイル１２Ｃ及び１６Ｂの重要性を絶対的な物差しで、即ちその作品１０の構成要素が全体として呈する一般的な重要性として測ることが可能である。こうした絶対的重要性は、従来から使用されているものであるが、重要性を測る物差し及び方法としてはあまり役立たないものである。それは、ファイル１２Ｃ及び１６Ｂの絶対的重要性が、そのファイル１２Ｃ乃至１６Ｂが作品１０中の他のファイル１２Ｃ乃至１６Ｂに対し呈する関係が変化しても、或いはその作品１０を貫く粗筋１２Ｐ上でそのファイル１２Ｃ及び１６Ｂが導入されるポイントが変化しても、変化しないからである。そのため、ファイル１２Ｃ乃至１６Ｂの絶対的重要性自体、特定の作品１０においてしか役立たない。しかも、その値域が非常に限られるものとなる。具体的には、その重要性の値乃至度合いを「低」「中」「高」といった少数通りの値乃至度合いでしか表し得ない値域となるのが普通である。これでは、作品１０の制作に対する支援に際しさほど役に立つものとならない。
【０１３２】
これに対し、本実施形態では、作品１０の個別構成要素に備わる重要性、即ちファイル１２Ｃ乃至１６Ｂに備わる重要性を、相対的重要性という物差しでより有効に計測し規定するようにしている。相対的重要性とは、その作品１０の構成要素たる叙述節１２Ａ、ファイル１２Ｃ乃至１６Ｂ、作品関係者等が、その作品１０の他の構成要素に対し、或いはその作品１０を貫く粗筋１２Ｐ沿いのポイントに対し呈する展望のことである。従って、図１２Ｅに示すように、ファイル１２Ｃ及び１６Ｂの相対的重要性乃至展望は、絶対的重要性に比べ、そのスペクトラム即ちその値乃至度合いが採りうる範囲が広く且つ連続的なものとなり、またその粒度即ち増分の細かさが非常に高くなるのが普通である。このように、節１２Ａ、ファイル１２Ｃ乃至ファイル１６Ｂ、作品関係者、作品１０を貫く粗筋１２Ｐに沿ったポイント等に対する相対的重要性乃至展望は、絶対的重要性に比べ、かなり強力で柔軟性の高い作品制作ツール乃至仕組みであるといえる。
【０１３３】
本実施形態における相対的重要性乃至展望の概念及び仕組みは、例えば、仮想展望なる概念及び仕組みで具現化することができる。図１２Ｅに模式的に示したのはその一例である。この例では、仮想展望２４３によって、叙述線２４５に沿った叙述情報ファイル１２Ｃ・叙述節１２Ａ間関係が表現及び具現化されている。線２４５としては、叙述構造１４Ａ内諸節１２Ａを縦貫する粗筋１２Ｐが使用されている。作品１０のコンテンツ１２Ｂ及び１６Ａはこの線２４５に従い提供される。同図から読み取れるように、こうした形態でコンテンツ１２Ｂ及び１６Ａの展望乃至相対的重要性を表現、具現化することで、作品１０が実際に人物乃至集団に知覚される形態が表現されるよう、ファイル１２Ｃ及び１６Ｂを整頓することができる。
【０１３４】
また、本実施形態では、ファイル１２Ｃ乃至１６Ｂ間の重要性関係をより速やかに特定できるよう、ファイル１２Ｃ及び１６Ｂをある共通の基準で分類し、幾つかのリレーショナルグループを形成するようにしている。図１２Ｅに示す通り本願ではこれを叙述対象（オブジェクト）と称している。同図に示す例では、コンテンツ１２Ｂ及び１６Ａを知覚する人物乃至集団に対する時空間的、個人的乃至叙述的な相対的重要性乃至展望に従い、ファイル１２Ｃ乃至１６Ｂが個人的叙述対象２４６、局所的叙述対象２４７及び一般的叙述対象２４８に分類されている。ファイル１２Ｃ及び１６Ｂをこれらの叙述対象２４６〜２４８に分類することで、叙述節１２Ａに対する叙述コンテンツ又は脈絡コンテンツの一般的重要性を一般的な形態で表現することができる。但し、あくまで一般的な表現であり、実際に生じる状況を反映するものではないので、その点に留意する必要がある。例えば、叙述対象２４６、２４７及び２４８の範囲が互いに重なることがあり得る。場合によっては、コンテンツ１２Ｂ乃至１６Ａの構成項目のうち一般的叙述対象２４８に分類されているものが、コンテンツ１２Ｂ乃至１６Ａの構成項目のうち例えば個人的叙述対象２４６に分類されているものに比べ、節１２Ａに対し高い水準の重要性を呈することもあり得る。
【０１３５】
更に、作品関係者とその作品１０に係るファイル１２Ｃ乃至１６Ｂ内コンテンツ１２Ｂ乃至１６Ａとの間の関係についても、後述の通り、同じ要領で重要性上の関係や個人的、局所的乃至一般的といった分類を特定することができる。
【０１３６】
Ｇ．方向性及び重要性  …  図１４Ｄ
図１４Ｄに、作品１０の構成要素間関係の別側面たる方向性並びにその方向性を提供乃至表示する方法の例を示す。この例では、叙述構造１４Ａにおける叙述節１２Ａ・叙述情報ファイル１２Ｃ間関係を、仮想展望２４３の三次元空間を使用し表現している。いわゆる当業者には自明なことながら、作品１０の他の構成要素間に存する関係も同様の方法で表示させることができる。例えば、構造１４Ａ、節１２Ａ、ファイル１２Ｃ及び１６Ｂ、コンテンツ１２Ｂ及び１６Ａ並びに作品関係者の間に存する重要性上の関係等を、同様の方法で表示させることができる。
【０１３７】
こうした方法に従い作品１０の構成要素間、例えば叙述節１２Ａ、ファイル１２Ｃ及び１６Ｂ、コンテンツ１２Ｂ及び１６Ａ並びに作品関係者の間の関係を表示させることで、その作品１０にてその構成要素間関係に生じる様々な性質を表示させることができる。即ち、本実施形態によれば、作品１０にてその構成要素間関係に生じうる様々な性質、例えばその関係の種別、ベクトルパラメタ、方向性等を表示させることができる。それらのうち、作品１０を構成する二要素間の影響性乃至従属性を表す方向性は役に立つものである。例えば、ある叙述情報ファイル１２Ｃがある節１２Ａにとり重要であるとする。また、そうした重要性が、そのファイル１２Ｃ内のコンテンツ１２Ｂによってその節１２Ａに係るコンテンツの一部又は全部が規定乃至構成されることで生じているとする。この場合には、節１２Ａ・ファイル１２Ｃ間関係に、そのファイル１２Ｃからその節１２Ａへと向かう方向性、即ちファイル１２Ｃが節１２Ａに影響を及ぼすのみで節１２Ａがファイル１２Ｃに影響を及ぼすことはない、という性質が見られる。この関係では節１２Ａによってファイル１２Ｃ内コンテンツ１２Ｂがなんら規定されず、そのファイル１２Ｃの存在が節１２Ａから独立している。逆に、ファイル１２Ｃ内コンテンツ１２Ｂのうち一部又は全部が節１２Ａによって規定される場合には、その節１２Ａからそのファイル１２Ｃへと向かう方向性が見られる。そして、節１２Ａ・ファイル１２Ｃ間で双方向的に影響しあう場合もある。即ち、ファイル１２Ｃ内コンテンツ１２Ｂによって節１２Ａのある側面が規定される一方、節１２Ａによってファイル１２Ｃ内コンテンツ１２Ｂのうち一部が規定される場合である。
【０１３８】
従って、本実施形態では、作品１０における構成要素間関係に備わる性質、例えばその方向性をその関係の種別及びベクトルパラメタ例えば強度と併せ提供させることができる。即ち、図１４Ｃに示すように、片方向矢印線、双方向矢印線等を使用し場所、向き又はその双方を指し示す形態にて、方向性を視覚的且つ概念的に表示させることができる。
【０１３９】
図１４Ｅ及び図１４Ｆに、作品１０における構成要素間関係に備わる方向性並びにその方向性を受信者向けに可視表示する方法を示す。まず、図１４Ｅに示す例では、叙述情報ファイル１２Ｃ・叙述節１２Ａ間関係が、節１２Ａからファイル１２Ｃへと延びる向き、即ちファイル１２Ｃに関し節１２Ａが規定的役割を有することを示す向きの矢印２７７で表されている。この例の場合、ファイル１２Ｃ内コンテンツ１２Ｂについて大筋を示しそれを決定づける脈絡が節１２Ａによって提供される一方、節１２Ａにより特定される脈絡がファイル１２Ｃ内コンテンツ１２Ｂによって調整されている。他方、図１４Ｆに例示したのはそれとは逆の状況である。この例の場合、叙述上不可欠な人物の画像等といった重要なコンテンツがファイル１２Ｃに保存される一方、広範に亘るがファイル１２Ｃ内コンテンツ１２Ｂをさほど決定づけない脈絡、例えばそのファイル１２Ｃ内の画像が撮影されたときの大まかな設定を捉えたマップ乃至写真が節１２Ａによって提供されている。そして、やはり注記すべきことに、作品１０を構成する二要素間、例えばある節１２Ａとあるファイル１２Ｃとの間に影響上の優劣関係がなく、前者から見た後者の重要性と後者から見た前者の重要性とが同程度である場合、両者可換を結ぶリンクは双方向性となろう。
【０１４０】
Ｈ．重要性関係並びに関連する叙述コンテンツ及び脈絡コンテンツの特定  …  図１３
上述の通り、叙述節１２Ａ、叙述情報ファイル１２Ｃ、脈絡情報ファイル１６Ｂ、作品関係者、その作品１０を貫く粗筋１２Ｐ等の間にはある種の重要性関係が存しうる。
【０１４１】
次に、叙述情報ファイル１２Ｃ・脈絡情報ファイル１６Ｂ・作品関係者間に存する静的乃至動的な関係を利用し、作品関係者・作品１０内諸叙述節１２Ａ間重要性関係を特定する方法や、推論クエリを生成して作品１０の潜在的コンテンツを指定する方法や、叙述構造１４Ａを貫く別の粗筋１２Ｐを提供する方法について説明する。
【０１４２】
（ｉ）重要性関係の特定  …  図１３
図１３に、叙述情報ファイル１２Ｃ・脈絡情報ファイル１６Ｂ・作品関係者間に存する静的乃至動的な関係を利用し、作品関係者とその作品１０に係るファイル１２Ｃ及び１６Ｂとの間の重要性関係を特定する方法を示す。
【０１４３】
次に、この図に示す方法で実行される種々のステップについて説明する。
【０１４４】
ステップ２５０  ここでは、作品関係者のうちいずれかを指定し、その人物についての知識ベース２００を取得又は生成する。
【０１４５】
ステップ２５２  ここでは、知識ベース２００から得られるデータを、多次元展望座標空間における展望座標２５２Ｃ、例えば時空間的パラメタ、個人的パラメタ、叙述関係パラメタ等に変換する。この座標２５２Ｃによって、対応する人物が展望座標空間内で占める場所即ち展望基準点２５２Ｐが規定乃至画定される。
【０１４６】
ステップ２５４  幾つかのファイル１２Ｃ乃至１６Ｂについて同様の展望座標が求まったら、ここで、ファイル１２Ｃ乃至１６Ｂと展望基準点２５２Ｐとの間の展望空間内距離をそのファイル毎に導出する。次いで、ファイル１２Ｃ乃至１６Ｂを個人的叙述対象２４６、局所的叙述対象２４７及び一般的叙述対象２４８のうちいずれかへと分類することで、作品関係者に対する個々のファイル１２Ｃ乃至１６Ｂの重要性を判別する。
【０１４７】
ステップ２５６  ここでは、叙述情報ファイル１２Ｃ内脈絡指示子１２Ｅのうち幾つかをその人物と関連付けるための推論クエリ１８Ａを、演繹的且つ帰納的な論理を用い且つ先に概述した展望座標２５２Ｃを与える仮想展望２４３の空間内で幾つか生成する。このクエリ１８Ａは、作品関係者に対し最も広範且つ高水準な相対的重要性を呈する一般的な叙述コンテンツ及び脈絡コンテンツ構成項目を探すためのものである。本実施形態では、推論クエリ関連処理を二段階にわけ、第１段階であるステップ２５６で幾つかのクエリ１８Ａを生成する手順としている。
【０１４８】
ステップ２５８  これは推論クエリ関連処理の第２段階である。ここでは、ステップ２５６で生成した推論クエリ１８Ａそれぞれに補助推論クエリ１８ＡＳを組み合わせて組合せ推論クエリ１８ＡＣを幾つか生成する。補助推論クエリ１８ＡＳは、叙述節１２Ａに対するファイル１２Ｃ乃至１６Ｂの相対的重要性を問うものであり、やはり、演繹的且つ帰納的な論理を用い且つ先に概述した展望座標２５２Ｃを与える仮想展望２４３の空間内で生成することができる。クエリ１８Ａ・補助推論クエリ１８ＡＳ間結合による組合せ推論クエリ１８ＡＣの生成は反復的且つ再帰的に実行される。
【０１４９】
ステップ２６０  ここでは、組合せ推論クエリ１８ＡＣを幾つか実行することで、個々のクエリ１８ＡＣで指定した条件を満たすファイル１２Ｃ乃至１６Ｂの所在を特定する。
【０１５０】
ステップ２６２  ここでは、ステップ２６０で実行した組合せ推論クエリ１８ＡＣそれぞれへの回答１８Ｒを、幾通りかの作品条件１３４Ｃ、例えば相対的重要性の下限水準、脈絡コンテンツ１６Ａが保存されている媒体の種別等の検証条件に照らして検証する。留意すべきことに、これらの回答１８Ｒはステップ２５８で生成したクエリ１８ＡＣに対するものであるので、作品関係者・作品１０内叙述節１２Ａ間には、そのクエリ１８ＡＣ内で規定されているクエリ条件に応じた重複、相関乃至一致が現れる。従って、作品関係者にとってもその作品１０内叙述節１２Ａにとっても重要なコンテンツ１２Ｂ乃至１６Ａが保存されているファイル１２Ｃ乃至１６Ｂを、クエリ１８ＡＣへの回答１８Ｒに基づき特定することができる。例えば、ある特定の人物が書籍を読んだことを示す性質の推論クエリ１８Ａと、その節１２Ａに表されている時刻を挟みある狭い時期を指定する性質の補助推論クエリ１８ＡＳとを組み合わせることで、その組合せ推論クエリ１８ＡＣが生成されているとする。この場合、その人物がその時期に書籍を読んだことを示す回答１８Ｒが得られるので、それに基づき後続する何個かのクエリを生成することで、その書籍に現れる場所及び登場人物のうちその叙述中の出来事に関連しているものを推定乃至特定することも可能となる。
【０１５１】
ステップ２６３  得られた回答１８Ｒのなかに検証条件を満たすものがなかった場合、ここで、ステップ２５８に戻って組合せ推論クエリ１８ＡＣの生成及び実行を反復する。
【０１５２】
ステップ２６４  得られた回答１８Ｒが検証条件を満たしていた場合、ここで、それに対応するリンク１４Ｂをリンクデータベース２４０に登録する。登録されるリンク１４Ｂは、例えば、それに対応する適切なファイル１２Ｃ乃至１６Ｂの識別子又は所在を示す情報を含むものとなる。
【０１５３】
ステップ２６６  ここでは、組合せ推論クエリ１８ＡＣに関する処理を反復することで、作品関係者に対しさほど重要でないものや作品関係者からの離隔度が小さいものを含めファイル１２Ｃ及び１６Ｂを順次特定する。即ち、一般的叙述対象２４８ではなく局所的叙述対象２４７又は個人的叙述対象２４６に分類されるであろうファイル１２Ｃ乃至１６Ｂを探し出す。
【０１５４】
ステップ２６７  ここでは、回答１８Ｒを監視することで、作品関係者に対しあまり重要でないものや作品関係者からの離隔度が小さいものを含めファイル１２Ｃ乃至１６Ｂをこれ以上探す必要があるか否か、即ち組合せ推論クエリ１８ＡＣの生成を更に反復する必要があるか否かを判別する。
【０１５５】
ステップ２６８  ステップ２６７にてこれ以上の反復は不要であると判別されたら、ここで、作品関係者についての反復的推論クエリ処理を終了する。必要なら、他の作品関係者について上掲の処理を反復する。
【０１５６】
ステップ２６９  ここでは、作品関係者全てについて処理を終えたのか、それとも別の作品関係者について処理を継続すべきなのかを判別する。作品関係者と叙述線上の諸叙述節の組合せのうち処理が済んでいるものについては、叙述構造データベースへの登録に役立てることができる形態にて、ファイル１２Ｃ乃至１６Ｂ及びそれに至るリンクの保存に必要な容量を求める。
【０１５７】
ステップ２７０  ここでは、上述の通り、特定したファイル１２Ｃ乃至１６Ｂを、作品関係者及び検討中の叙述節１２Ａに対する相対的重要性に従い順位付けする。その節１２Ａに関連付けるべきファイル１２Ｃ乃至１６Ｂを然るべく選定する。
【０１５８】
ステップ２７２  ここで処理を終了する。
【０１５９】
こうした処理を通じファイル１２Ｃ及び１６Ｂや作品関係者や作品１０内叙述節１２Ａの間をリンクさせる点に関し留意すべき点としては、まず、上述したエントリ２００Ｅ、２１０Ｅ及び２３０Ｅ内の情報フィールドのうち特定のものに、作品１０内要素のうち対応するものの一般的重要性に関する情報が保存される点がある。この情報を利用することで、作品関係者に対し十分に高い重要性及び十分に普遍的乃至一般的な関係を有する個人的、叙述的乃至叙述構造的要素に関し、少なくともある程度の水準の関連付けを発現させることができる。
【０１６０】
この点との関連で留意すべき点としては、コンテンツ１２Ｂ乃至１６Ａの重要性は先に述べた通り幾つかの要因によって左右される点がある。例えば、問題となっている人物乃至集団に対する脈絡コンテンツの叙述上の近さ、コンテンツ１２Ｂ乃至１６Ａから影響を受ける人数、その影響の度合い、厳しさ乃至継続時間、その作品１０に及ぶ最終的な影響の度合い及び重要性等の要因である。
【０１６１】
更に留意すべき点としては、上述の処理が反復的処理を含んでいるため、個人的な叙述コンテンツ及び脈絡コンテンツのうち潜在的に重要なものの力強さと深みを増し、また非常に弱いことが多い潜在的な関係を起点とし叙述節間に非常に強い関係及びリンクが形成される点がある。即ち、より具体的にいうと、推論クエリ１８Ａの実行が反復されるたびに更なるコンテンツ１２Ｂ乃至１６Ａがもたらされ、その追加により重要性関係の多様性が増し、ひいては後続のクエリ１８Ａ向けの領域乃至叙述対象が暗示されることとなる。
【０１６２】
そして、叙述情報ファイル１２Ｃ・脈絡情報ファイル１６Ｂ・作品関係者間に存する静的及び動的関係に基づき、作品関係者や作品１０内叙述節１２Ａの間に存する重要性関係を特定するため、上述の処理では推論クエリを生成している。次に、推論クエリを生成し、潜在的な叙述コンテンツ乃至脈絡コンテンツの特定や、潜在的な作品関係者の特定に役立てる方法について説明する。
【０１６３】
（ｉｉ）叙述コンテンツ及び脈絡コンテンツの特定に使用する推論クエリの追加生成  …  図１６
図１６に、叙述情報ファイル・叙述節間関係を調べ推論クエリを繰返し生成する方法の流れを示す。上述の通り、制作者７２による操作、或いは叙述情報ファイル内コンテンツの自動解析を通じ、叙述毎に叙述節が幾つか規定されているので、その規定が十分に詳細であれば、上述した相対的表現による展望に基づく計算を行うことができる。
【０１６４】
本方法では、最初のステップ３００にて、叙述節１２Ｃが順序だって並び制作したい作品の脊柱となる叙述線２４５及びそれに関わりのある叙述情報ファイルを特定することで、その線２４５に関わりのある叙述情報ファイルについてのデータベース２１０を入手する。
【０１６５】
ステップ３０２では、その叙述情報ファイルデータベース２１０から得られる情報を時間的乃至局所的なガイドライン、即ち指定叙述情報ファイルの離隔度を計測する際の絶対的な基準点を与えるガイドラインへと変換する。続くステップ３０４では、ステップ２５２における処理の結果と、指定叙述情報ファイルの離隔度及び絶対的重要性とを、諸叙述情報ファイルを個人的、局所的、一般的等々に分類する基準として用い、その叙述節に対する相対的重要性を算出する。
【０１６６】
ステップ３０６では、演繹的且つ帰納的な論理及び上述した仮想展望２４３の原理に従い推論クエリを生成する。この動作は、最も広範且つ最も高水準な相対的重要性を呈する一般的な項目についての検索から始める。
【０１６７】
ステップ３０８では、作品関係者に対する相対的重要性を求める際の計算（図１３）と同様の計算によって求めた同様のクエリを、反復的且つ再帰的に結合させることで、推論クエリを生成する。
【０１６８】
ステップ３１０では、ステップ３０８で生成した新たな推論クエリを実行することで、その作品の制作者にとっても叙述節にとっても脈絡的に重要な回答を取得する。
【０１６９】
ステップ３１２では、ステップ３１０で得られた回答を、相対的重要性の下限水準設定値、検索対象となる叙述情報ファイル等といった制約条件を含めとして何らかの作品生成条件に照らして検証する。このステップでは、作品生成条件が満たされなかった場合はステップ３０８へと処理を移行させる。そこでは、より満足のいく回答が得られるようクエリを再度生成する。他方、作品生成条件が満たされた場合はステップ３１４へと処理を移行させ、得られた回答によって示される適切な脈絡情報ファイル１６Ｂの在処に基づき、制作したい作品に係るリンクデータベースへの登録を行う。続くステップ３１５では、ステップ３０８〜３１４を反復させるか否かを判別する。
【０１７０】
ステップ３１６では、別の粗筋１２Ｐ乃至叙述線２４５をもたらしうる叙述節向けに生成された別の推論クエリを対象に、それらのステップを反復する。対話版やカスタム版の作品を制作する際には、これを何回か繰り返して線２４５を複数本設けるのが望ましい。
【０１７１】
ステップ３１９では、それ以上反復する必要があるか否かを判別する。必要無しと判別した場合は、ステップ３２０にて全回答に最終フィルタリングを施す。このフィルタリングは、推論クエリの反復実行で得られる回答の順位付けを管理するルール群に従い実行する。例えば、全ての叙述節又は特定範囲に属する一部の叙述節のなかで、最も高い相対値を呈する脈絡情報ファイルを選別的に採用するルール等である。ステップ３２１ではほかに叙述節があるかか否かを判別し、ある場合はステップ３０８の処理へ移行する。
【０１７２】
ほかに叙述節がない場合はステップ３２２にて処理を終了する。
【０１７３】
（ｉｉｉ）別の粗筋  …  図１７
図１７に、その作品を貫くよう、且つその作品との対話型やりとりを通じ粗筋の選択等を行えるよう、配信用作品の制作者によって複数本の粗筋１２Ｐが設けられた叙述構造１４Ａを示す。この構造１４Ａでは、幾つかの叙述節Ｎｘを通る叙述線２４５に加え、他の幾つかの叙述節Ｎｙを通る別の叙述線３５２が設けられているので、表示や実演の際に後者の線３５２を選択することが可能である。配信用作品が適宜構成されていれば、例えば、ある線２４５に沿い到達した叙述節にて他の幾本かの線３５２のうちいずれかを選択し、それまでとは別の線３５２に沿い他の叙述節に進むこともできる。別の叙述線の選択形態としては、使用者や視聴者の意志のみに基づく無条件的選択や、ある種の条件が成り立っているときだけある種の選択肢を選べるようになる条件的選択を採りうる。
【０１７４】
Ｉ．仮想展望空間における叙述構造及び重要性関係  …  図１４Ａ〜図１４Ｃ
上述の通り、本実施形態では、重要性関係の原理や、展望特に仮想展望の原理を使用し、作品１０の構成要素、例えば叙述構造１４Ａ、叙述節１２Ａ、ファイル１２Ｃ及び１６Ｂ、コンテンツ１２Ｂ及び１６Ａ等の間や、それらと作品関係者との関係を、整頓及び構築するようにしている。この点もご理解、ご推察頂けるように、本実施形態では、その作品１０の制作者や使用者にとり使い勝手のよい形態でその重要性関係や展望を表示させることができ、従って上述した多様な形態で作品１０を制作することができる。これから説明するのは、それらの関係及び展望を制作者や使用者に向けて提供乃至表示する方法の例である。更に、本実施形態における重要性関係の原理や仮想展望の原理の利用形態についても説明することとする。
【０１７５】
（ｉ）多次元仮想展望空間における重要性関係  …  図１４Ａ
まず、図１４Ａに、仮想展望空間における叙述節１２Ａ・叙述情報ファイル１２Ｃ間関係の一例表現を示す。この例では、仮想展望２４３を表すのに多次元座標空間を使用しており、目下検討中の叙述節１２ＡＯがその空間の座標原点に置かれている。これまでの説明からもご理解頂けるように、図１４Ａに示した仮想展望空間は、本実施形態に従い極座標空間で重要性関係を構築する手段としてだけでなく、そうした関係を好適に表示可能な手段として後述の通り本実施形態にて採用されている。更に、以下の説明からご理解頂けるように、図１４Ａ及び図１４Ｂに示した例では仮想展望空間として二次元座標空間を使用しているが、実際には任意の次元数の空間を使用することができる。使用する空間の次元数は、実施の仕方、例えば重要性関係に係る要因が何種類あるかによって左右される。同様に、仮想展望空間の座標系を他の種類の座標系、例えば矩形座標系や球面座標系にすることもできる。
【０１７６】
また、この例では、在原点の叙述節１２ＡＯに対する人物、脈絡情報ファイル１６Ｂ、脈絡コンテンツ１６Ａ、他の叙述節１２Ａ等の相対的重要性の強弱が、前者から後者までの放射方向距離を物差しとして表されている。即ち、図示の通り、その節１２ＡＯに対する相対的重要性の変化がわかるよう在原点の節１２ＡＯを取り巻く同心円２７３が描かれ、節１２ＡＯからの放射方向距離に比例しその節１２ＡＯに対する重要性が低下することが表されている。上述の通り、本実施形態では、ファイル１２Ｃ乃至１６Ｂ内の情報が個人的叙述対象２４６、局所的叙述対象２４７及び一般的叙述対象２４８に分類され、その重要性が最も高い分類が個人的叙述対象２４６、最も低い分類が一般的叙述対象２４８とされるので、図１４Ａに示した仮想座標空間を使用する場合、個人的叙述対象２４６、局所的叙述対象２４７及び一般的叙述対象２４８がそれぞれ対応する領域内に収まるよう、三重の円２７３によって放射方向領域を三分するのが望ましい。
【０１７７】
そうした構成では、仮想展望２４３の空間で原点に位置する叙述節１２ＡＯに対しファイル１２Ｃ及び１６Ｂ、それに保存されている情報等が呈する相対的重要性を、その空間におけるファイル１２Ｃ及び１６Ｂの放射方向位置がどこか、即ち同心円２７３で括られた個人的叙述対象２４６の領域、局所的叙述対象２４７の領域及び一般的叙述対象２４８の領域のうちいずれに収まるか、から読み取ることができる。更に、ファイル１２Ｃ及び１６Ｂの分類間に存する関係のうち、コンテンツの類似性といった特性や、そのファイルに当初から保存されていたのかそれとも条件判別処理や選択処理で事後的に組み込まれたのかの別を、その仮想展望空間内でそれらファイル１２Ｃ及び１６Ｂが占める周方向位置から読み取ることができる。そして、表される叙述対象の種別、例えば人物、叙述情報ファイル１２Ｃ、脈絡情報ファイル１６Ｂのいずれであるかを仮想展望空間内に表すこと、例えばその叙述対象に応じアイコンやシンボルの形状や色を違えてディスプレイ画面に表示させることができる。
【０１７８】
（ｉｉ）三次元極座標仮想展望空間における重要性関係  …  図１４Ａ
在原点の叙述節１２ＡＯに対し人物、集団、叙述節１２Ａ、叙述情報ファイル１２Ｃ等が呈する重要性の強弱や、人物、集団、節１２Ａ、ファイル１２Ｃ等の間に存する重要性その他の関係は、極座標展望空間内に重要性ベクトル２４９で表すことができる。図１４Ａから読み取れるように、対応する叙述対象が節１２ＡＯに対し呈する相対的重要性や、仮想展望２４３の空間内に存する他の叙述対象に対し呈する相対的重要性を、そのベクトル２４９の径方向長で明示することができる。同様に、その仮想展望空間に表されている他の叙述対象との分類上の関係等を、ベクトル２４９の周方向位置で表すことができる。また、対応する叙述対象間に存する関係の強弱によってベクトル２４９同士の角度差が変化するので、包括される角度範囲又は排除される角度範囲を指定することで、叙述対象の範囲をその関係に基づき記述乃至指定することができる。
【０１７９】
また、人物、ファイル１２Ｃ乃至１６Ｂ、叙述節１２Ａ等といった要素の絶対的重要性は、その要素が在原点の節１２Ａに対し呈する相対的重要性等、展望２４３の空間に存する他の要素に対し呈する相対的重要性と違い、その要素のみの関数となる。従って、適切な性質を有するアイコン又はシンボルをその要素に対応付け、そのアイコン乃至シンボルでその要素を表すことで、その要素の絶対的重要性を明示的乃至暗示的に表すことができる。
【０１８０】
更に、本実施形態では、後述の通り、在原点の叙述節１２ＡＯと、重要性ベクトル２４９で表される人物乃至集団と、の間に存する個人的重要性関係を導出、表示させるようにしている。この点との関連では、知識ベース２００内知識エントリ２００Ｅから個人情報を取得し、個人的重要性ベクトル２４９を構築することが可能である点にも、留意すべきである。
【０１８１】
（ｉｉｉ）仮想展望の再計算  …  図１８
その構成要素間の展望即ち相対的重要性に変化が生じうる場合、制作される作品１０の構成中に様々な分岐点が発生する。本実施形態では、対話型やりとりの最中に視聴者がある脈絡情報ファイル１６Ｂに強い関心乃至反応を示したことを受け、そのファイル１６Ｂを今後は強調すべきであると司会者が判断した場合等に、システム側で、視聴者向けに提供乃至表示される作品１０を改組すること、例えば新たな叙述節１２Ａを幾つか組み入れ別の粗筋１２Ｐに沿った提供乃至表示に変えることができる。また、別の粗筋１２Ｐに沿う叙述に変わるよう、或いは幾つかの節１２Ａ、ファイル１２Ｃ乃至１６Ｂの役割乃至分類が変わるよう、いずれかのファイル１２Ｃ乃至１６Ｂを別のものに入れ替えることもできる。
【０１８２】
図１８に、先に図８、図１２Ｅ等を参照して説明した仮想展望２４３について、脈絡情報ファイル１６Ｂを叙述節１２Ａに仕立て直す場合を例にその再計算方法を示す。このようにファイル１６Ｂを改組し別の役割を担わせる際には、その操作で新たに画定される節１２Ａに対する関係や脈絡的な重要性を再計算する必要があるので、図１８中の枠内に視覚的に示した要領で仮想展望２４３及び３６２に基づきその再計算を実行する。即ち、作品１０の諸構成要素がその相対的重要性に応じファイル１６Ｂのリンク先節１２Ａに従前から関連付けられていることを利用し、展望３６２に係る枠内の処理を実行する。この処理では、節１２Ａの構成要素にすべきファイル１６Ｂの指定を受けて境界条件を再計算し、その境界条件に従い、そのファイル１６Ｂに関連付けるべき叙述情報ファイル１２Ｃを特定する。制作者は、その結果に基づき広範な知識ベース３６４を拡張し、対話型ガイダンスを伴う実演乃至提供に役立てることができる。また、こうして更新された節１２Ａを用いることで、新たな粗筋１２Ｐ即ち新たな叙述線３５２を生成することや、新たな脈絡コンテンツ１６Ａを提供して新たな叙述節群を生成することができる
【０１８３】
Ｊ．作品１０を制作するためのシステム２０及びその仮想展望生成器の例  …  図２１Ａ及び図２１Ｂ
次に、作品１０の構成要素及び制作方法に関するこれまでの説明を踏まえ、作品１０を制作するためのシステム２０、そのサブシステムたる仮想展望生成器の一例構成、並びにそれらの動作の流れをより詳細に説明する。
【０１８４】
（ｉ）仮想展望生成器  …  図２１Ａ
図２１Ａに、システム２０で使用される仮想展望生成器５００のブロック構成を示す。本実施形態では、作品制作の好適実行のため生成器５００をシステム２０の他の構成要素と協働させるようにしている。
【０１８５】
また、この図の仮想展望生成器５００では、作品関係者に関する一群の情報源５２０から得られる情報を、個人知識ベース２００に登録する系統と叙述構造データベース２３０に登録する系統とが、高度に並列的な関係を呈している。こうした並列性のある構成では、図１３及び図１６に示した方法に従い且つ推論エンジン５３０を用い、複合的な推論クエリ１８Ａを好適に反復生成することができる。本実施形態におけるエンジン５３０は、知識ベース２００に登録されている情報に叙述情報を組み合わせること、例えば叙述情報ファイルに保存されているテキスト、音声、画像等の情報を図１２Ａに示した要領で組み合わせることでクエリ１８Ａを生成する。次いで、そのクエリ１８Ａを、図８、図１２Ｅ、図１３、図１６、図１９等に示した相対的重要性オントロギに従い調整した上で実行し、それに対する回答で示されるファイル１２Ｃ乃至１６Ｂの相対的重要性に基づき仮想展望２４３を導出、取得する。そして、こうして生成した展望２４３を、システム他部位から参照できるよう表示兼保存サブシステム５４０に保存する。
【０１８６】
（ｉｉ）仮想展望生成器５００を有するシステム２０の例  …  図２１Ｂ
次に、システム２０を使用し作品１０を制作する手順のあらましを踏まえつつ、図２１Ｂを参照し、本実施形態におけるシステム２０及びそれに備わる上述の仮想展望生成器５００の概略動作を説明する。
【０１８７】
説明の便宜上、叙述情報ファイル１２Ｃたる音声ファイル、画像ファイル及び生伝送ファイルがリモートのメモリシステム５２に保存されること、脈絡情報ファイル１６Ｂが印刷物その他の有形媒体の集まりであること、またそれらのファイル１２Ｃ及び１６Ｂが原則としてディジタル又はアナログの電子ファイル形態をとることを仮定する。更に、脈絡情報ファイル１６Ｂ内の脈絡コンテンツ１６Ａとして、生実演で生成され電子的な伝送を経て検知乃至記録されたコンテンツ、データベース上に保存しておいた私製のコンテンツ、許諾を受けたコンテンツ、他者又はパブリックドメインから提供されたコンテンツ等が保存されるものとする。即ち、仮想展望生成器５００内推論エンジン５３０によって生成される推論クエリで指定される情報又はそのコピーへのリンクを介し参照可能なあらゆる情報が、コンテンツ１２Ｂ及び１６Ａに含まれるものとする。
【０１８８】
また、このシステムでは、既存又は修正版の脈絡情報ファイル１６Ｂを使用することが可能であるほか、自システム内又はそこから参照可能な場所にあるサブシステム５８０でファイル１６Ｂを生成し、それを随時取得して使用することも可能である。このサブシステム５８０は、手動操作による生成要求に応じ又は自動的に判別を行い、より望ましいと見られるファイル１６Ｂを生成する。例えば、推論クエリ１８Ａを実行したけれども、そのクエリ１８Ａで指定していたファイル１６Ｂ即ちその作品１０にとり重要そうなファイル１６Ｂの在処がわからなかった場合に、そのクエリ１８Ａを要求として受けとめ新たなファイル１６Ｂを生成する。
【０１８９】
更に、図２１Ｂに示したシステム２０では、一部の処理機能がそのサブシステムたる入力システム２６で担われている。発見、修正乃至生成したファイル１２Ｃ及び１６Ｂを取り込みリモートのメモリシステム５２等に保存する機能である。保存されたファイル１２Ｃ及び１６Ｂは出力システム２８用のリソースとなるので、制作対象作品１０で使用する叙述情報ファイル１２Ｃをそこから得ることができる。本実施形態では、それらのファイル１２Ｃをその相対的重要性に従い分類して保存するので、先に仮想展望に係るルール群との関連で説明した通り、出力システム２８用のリソースを例えば個人的脈絡コンテンツ１６Ａ、局所的脈絡コンテンツ１６Ａ及び一般的脈絡コンテンツ１６Ａに分類して利用することができる。
【０１９０】
即ち、システム２０では、それら出力システム２８用のリソースを、図１４Ａ〜図１４Ｆに示した仮想展望表現等で表示させる一方、作品組立サブシステム３０にも供給する。図２０に示す通り、このサブシステム３０は、対話型の操作を踏まえ又は全自動で作動し、叙述節１２Ａ、ファイル１２Ｃ及び１６Ｂの選定及びそれを使用した作品１０の組立を精緻に実行する。ステップ５９０では、その作品１０を生実演で提供しようとしているのか、それとも人間、コンピュータゲーム、生実演等による後日の再演に備え保存しようとしているのかを判別する。このステップ５９０で生実演と判別されなかった場合、システム２０では、その作品１０が生提供されているか否か、結果を保存するか否かを尋ねるステップ６１０を実行する。生の作品１０ならばシステム２０に備わる入力システム２６経由で記録、保存できることから、ここでは生でない作品１０の保存要否を尋ねるようにしている。このステップ６１０にて、その作品１０が現在提供されておらずその保存が必要であると判別された場合は、ステップ６２０にてリモートメモリシステム５２への長期保存を実行する。その後は、別の作業を開始できる状態に移行するか、さもなければ保存要否判別ステップ６１０へと戻る。ステップ６１０にて保存不要との結果になったら終了要否判別ステップ６３０へと移行し、システム２０をシャットダウンさせるか否かをそこで判別する。シャットダウンさせよとの判別結果にならないうちは、終了要否判別ステップ６３０の実行や新たな入力を待ちつつシステム２０を稼働させ続ける。
【０１９１】
使用者の意向が生提供６００であるとステップ５９０にて判明した場合、システム２０はその意向に沿い図１９に示す反復処理を実行する。その後、ステップ６３０にて提供終了との判別結果が得られるまでは、システム２０による作品１０の連続的ループ提供が継続される。
【０１９２】
Ｋ．作品１０の制作に関する詳細な説明  …  図７、図８、図１０、図１６及び図２０
次に、作品１０制作用システム２０の一般的動作及び用法に関するこれまでの説明を踏まえ、そのシステム１０の動作及び用法についてより詳細に説明する。
【０１９３】
（ｉ）作品１０の制作モードに関する説明
システム２０の使用に当たっては、まず、作品１０の骨組みとなる叙述節１２Ａを幾つか指定する必要がある。叙述構造１４Ａ内要素のうち粗筋１２Ｐはそれらの節１２Ａの配列によって形成される。構造１４内他要素、即ちファイル１２Ｃ乃至１６Ｂやコンテンツ１２Ｂ乃至１６Ａを該当する節１２Ａに関連付ける幾本かのリンク１４Ｂを画定するため、次に、システム２０は図１６に示した処理を実行する。即ち、叙述情報ファイル１２Ｃ・節１２Ａ間関係を調べつつ推論クエリ１８Ａを反復的に実行する処理を実行することで、ファイル１２Ｃ乃至１６Ｂとなるべきファイルを探し該当する節１２Ａに関連付ける。従って、作品１０内諸節１２Ａを特定することは、ファイル１２Ｃ乃至１６Ｂとして使用できるファイルの所在を特定し、それらをファイル１２Ｃ乃至１６Ｂとして選定する上で、要諦となる事柄である。
【０１９４】
例えば、一般的な従来システムでは、ファイル１２Ｃ乃至１６Ｂの候補を検索するとなるとあらゆる情報源に当たる必要があり、しかもヌル回答や不適切回答を含め往々にして多大な個数に上る回答を手動操作で保存する必要がある。これに対し、本実施形態では、上述の通り作品関係者に対する重要性に基づきファイル１２Ｃ及び１６Ｂを予備選抜する。ある叙述節１２Ａに係るキーワード、キー画像又はキー音声として魚に係るそれが使用されている場合でいうなら、システム２０では、制作者が様々なデータベースを検索して適切な魚情報を見つけ出す必要がない。これは、作品関係者及び節１２Ａの所在場所乃至時刻やその節１２Ａで登場する人物に関する知識に基づき、且つ自システム２０の設計者から与えられるルール群に則り、制作者の選択が予測されるからである。その節１２Ａの舞台が日本であるとの知識に基づき、日本産の鯉に関する叙述コンテンツ１２Ｂが保存されている叙述情報ファイル１２Ｃが高度に重要なものとして認識される、といった具合である。また、上述の通り、推論やファイル１２Ｃ及び１６Ｂの選択に使用されるルール群の設定により、全自動、補助更には全手動に至る様々なやりとりスタイルを設定可能である。ルール群の設定により、ファイル１２Ｃ及び１６Ｂの選択に関わる様々な要因の管理、例えば作品１０の前景に現れるファイル１２Ｃ及び１６Ｂの自動比率設定も行える。
【０１９５】
本システムは、次に、個々の叙述節１２Ａに係る叙述コンテンツ１２Ｂと結び付きがあり、その結び付きで制作者や受信者による回想や交際が刺激されるようなファイルを、その節１２Ａに関連付けるべき脈絡情報ファイル１６Ｂの候補として選定する。例えば、ある叙述情報ファイル１２Ｃ内の情報のうち対応する節１２Ａ、制作者乃至受信者の所在場所乃至時刻に関する情報に基づき、鯉池の写真、芸術的な画像、その出来事があった日本の市街等の情報を含むファイルを、脈絡情報ファイル１６Ｂの候補として選定する。
【０１９６】
システム２０は、次いで、上述した再帰的な処理を通じファイル１２Ｃ及び１６Ｂの選定を最適化する。例えば、制作者が個人的な写真を指定した場合、システム２０は、その制作者に関する付加的な知識例えば通学先についての知識に基づきその写真を解析する。その結果、その写真に写っている人物達がチームユニフォームを身につけていることが判明した場合、システム２０では、その写真に写っているのが大学時代のチームメイトであるとの推論を検証した上で、チームメイト達の写真を検索する。そうして得られた写真は、多くの場合、制作者が指定した写真に写っている人物達の特定に役立つものとなる。
【０１９７】
システム２０は、更に、図８に示す形態で叙述情報ファイル１２Ｃのデータベース２１０及び２２０を構築し、図７に示す個人知識ベース２００及び図１０に示す叙述構造データベース２３０を併用して諸データベースを改訂する。これによって、作品１０、叙述節１２Ａ及び作品関係者に対する重要性が最適化される。即ち、システム２０は、所与のルール群に従い且つ対応するデータベース２１０から抽出される情報に基づきファイル１２Ｃを改訂すること等で、叙述コンテンツ１２Ｂを個人知識ベース２００上の作品制作者情報に整合させ、或いは所在不明媒体に関する脈絡コンテンツ１６Ａを生成する。
【０１９８】
この原理は、図７に示した知識ベース２００、図８に示した叙述情報ファイルデータベース２１０、並びに図１０に示した叙述構造データベース２３０を含め、叙述情報ファイル１２Ｃの組合せ一般に適用される。制作者は、適用するルール群を指定するだけでよい。その指定に応じ、本システムは、例えば、別のデータベースに登録されているファイル１２Ｃのうち所在不明なものに代わり機能するよう、あるデータベースに登録されているファイル１２Ｃを改訂する。指定されるルール群によっては、図１０に示した叙述構造データベース２３０に登録されている叙述節１２Ａに対しあるルール群を優先適用させることや、ルール群の適用でファイル１２Ｃを改訂して節１２Ａに対応乃至一致させることもあり得る。
【０１９９】
システム２０は、重要そうだが所在不明又は未発見のファイル１２Ｃ又は１６Ｂがある場合、そのファイル１２Ｃ乃至１６Ｂに代わり必要を満たすような新たなファイル１２Ｃ乃至１６Ｂを生成する。例えば、システム２０で参照可能なファイル１２Ｃ及び１６Ｂのいずれにも、特定日におけるシャルトル大聖堂の画像が保存されていないとする。しかし、参照可能なファイル１２Ｃ及び１６Ｂのうちあるものに、その日の条件と似た日照及び天候で撮られたシャルトル大聖堂の画像等、当該特定日画像の代わりとなりうる情報が保存されているとする。この場合、システム２０は、その代替情報への日照条件及び天候条件の挿入でシャルトル大聖堂の想像画像を生成する。即ち、叙述節１２Ａや制作者、視聴者、登場人物等から見て必要となる条件を踏まえつつ、作品関係者例えば制作者や視聴者にとり役に立つであろう想像画像を生成する。
【０２００】
本実施形態では、更に、図１０に示した叙述構造データベース２３０等に登録されているルール群に従い、且つ制作者側要求／希望書式に合致するよう、ファイル１２Ｃ及び１６Ｂを修正することができる。例えば、選定済脈絡情報ファイル１６Ｂの形式乃至様式を、制作者からの指示に応じ且つデータベース２３０に登録されているルール群に従い修正することで、制作者や受信者の嗜好や反応に相応しくなるよう脈絡コンテンツ１６Ａを要約化乃至戯画化することができる。
【０２０１】
ファイル１２Ｃ乃至１６Ｂを修正する処理をより詳しく見ると次のようになる。まず、最初に行われるのは、叙述対象となる話題例えばパリ休暇を指定するステップである。その次に行われるのは、叙述を構成する叙述節１２Ａや表現モードを指定するステップである。制作者は、必要なら、ほかの登場人物を指定するステップを実行することもできる。それらの指定が済むと、システム２０は、話題、場所、時期及び期間や、個人的、局所的、一般的又は偏在的といった分類に基づき、制作者の記憶力や創造力が喚起されるように叙述情報ファイル１２Ｃを表示させる。実演を目的とした配信用作品の場合は、制作者や実演者や視聴者の記憶力や創造力が喚起されるように表示させることもある。この表示を受け、制作者は、叙述に含めたいファイル１２Ｃを幾つか選んで相互に関係づけることで、骨組みとなる叙述構造１４Ａが形成されるよう節１２Ａを画定する。
【０２０２】
叙述節１２Ａを画定する際には、上述の通り、叙述情報ファイル１２Ｃが使用され、或いは幾つかのファイル１２Ｃからなる別の叙述が使用される。例えば、パリ休暇に関する節１２Ａは、エッフェル塔を示す情報が保存されているファイル１２Ｃでも、複数個のファイル１２Ｃからなる叙述でも画定されうる。後者なら、エッフェル塔に関する様々な出来事、対象物、状況、登場人物等を順繰りに提示することができる。制作者は、核心をなす一組の節１２Ａを作成しそれを適当な順序、例えば単純な時間順、場所別、個人史順、地史順等、自分が納得できる順序で並べればよい。
【０２０３】
本システムは、次に、どのような形態で叙述を出力するかを質問する。使用する選定条件や組立原理が出力形態次第で異なるからである。制作者は、その質問への回答として、印刷物、人間による対話型実演、コンピュータを利用した対話型実演、フィルム、画像、音声等、現在利用可能な出力形態や今後利用可能となる出力形態を任意に指定することができる。これは、従来の方法及びシステムではある特定の媒体を使用する作品の制作しか支援できないことと大きく相違している。例えば、ＱｕａｒｋＥｘｐｒｅｓｓ（商標）等のパブリッシングソフトウェアは印刷物の制作にしか利用することができない。同様に、Ａｄｏｂｅ（登録商標）Ｐｒｅｍｉｅｒ（商標）は画像作品、Ｍａｃｒｏｍｅｄｉａ（登録商標）Ｄｉｒｅｃｔｏｒ（商標）はコンピュータ利用対話型オブジェクト、Ｓｏｕｎｄｆｏｒｇｅ（商標）は音声作品の制作にしか使用することができない。
【０２０４】
システム２０は、次いで、叙述情報ファイル１２Ｃにまつわる関係に基づき組立原理を推定する。この推定には、本実施形態に備わる上述の機能のうち、作品関係者に対するファイル１２Ｃ及び１６Ｂの関係を特定乃至操作する機能を使用することができる。推定のもとになるのは、そのファイル１２Ｃがその配信用作品１０の叙述、制作者、視聴者、登場人物、環境的重要側面等に対し呈する関係である。環境的重要側面にはその作品１０にまつわる様々な環境的要素、例えばその作品１０の上演地、その作品１０の送信又は実行に使用される装置の種類等が含まれる。また、この推定に当たり、システム２０は制作者を促し、使用する出力形態に相応しいツール及びその自動化水準を指定させる。自動化水準としては、全手動から全自動に至る様々な水準を指定することができる。また、ここでいうツールは、作品１０の組立に役立つハードウェアやソフトウェアのことである。テンプレート、編集／変換／組立／修正ハードウェア／ソフトウェア等、適切なツールを指定することで、制作者は、自分の意図を作品に対する処置、例えば走査、改訂、制作等に反映させることができる。
【０２０５】
システム２０は、更に、制作者が指定した幾通りかの出力形態に基づき叙述及び叙述節１２Ａを解析し、それによってファイル１２Ｃ及び１６Ｂの選定条件を外挿する。システム２０は、次いで、指定された自動化水準又は自システム２０の構成に組み込まれている自動化水準に基づき新たなファイル１２Ｃ乃至１６Ｂを推奨する。即ち、システム２０は、上述の通り、叙述、制作者、視聴者、既存の節１２Ａ及びそれに対応する叙述情報ファイル１２Ｃ、並びにその他のファイル１２Ｃの間に実在又は潜在している重要性関係を調べることで、その作品１０にファイル１２として組み込みうる新たなファイルを特定する。
【０２０６】
例えば、制作者からの指示で基本的な骨組みに組み込まれた叙述節１２Ａのなかに、簡単な説明だけで放置されているものがある場合、システム２０は、そうした簡単な説明例えば日付、場所等の情報に基づきその節１２Ａが例えば「路上パントマイム」に関するものであると解釈し、その結果に基づき推論クエリ１８Ａを生成することで、制作者が定めた条件を満たす素材を検索する。また、システム２０は、制作者からの指示を受けた場合、それに含まれる情報が作品関係者、叙述構成要素、出力形態等に関する知識であると解釈及び推定し、更にその作品１０で使用される媒体に見合った作品制作用ルール群を適用して叙述に見合った新たな節１２Ａを選定する。
【０２０７】
以上説明したのは制作者から学ぶだけの作品制作モードである。システム２０は、更に、制作者を支援、教育するモードで動作させることもできる。このモードでは、制作者がシステム２０側から様々な提案を受けることができる。その一例は、美術館に関する叙述節１２Ａの代わりにレストランや名所旧跡に関する節１２Ａを設けて受信者の注意を引きつけたらどうでしょう、といった提案である。こうした提案は、受信者プロファイルから芸術ではなく食品に金をかける受信者であるとわかるのに、美術館に関する節１２Ａの連続個数が多すぎる場合に行われる。別例としては、これまでの人物を引っ込めて代わりに新たな人物を叙述に加えてはどうでしょう、といった提案がある。こうした提案は、受信者にとり見分けが付きにくそうな登場人物がいる場合に行われる。更なる例としては、ほかの熟練話者が作品製作時にとった振る舞いや仕事の進め方を記録しておいたのでその記録から学んでください、と伝達、教示する提案がある。
【０２０８】
更に、本システムには、制作者が最初に指定した叙述節１２Ａに符合してはいるが幾分ずれている検索でファイルを探し、見つかったファイルを叙述情報ファイル１２Ｃの候補として制作者に示すモードもある。このモードでは、制作者は、システム側に然るべく指示することで、誰かほかの制作者の許にあるデータベース、作品１０に登場する人物のデータベース、或いは視聴者の許にあるデータベースからファイル１２Ｃにしうるものを探させ、見つかったもので作品を組み立てさせることができる。制作者は、ランダム性の程度を指定することで、候補として見つかるファイルの意外性を高めることができる。
【０２０９】
システム２０には、更に、制作者・システム間共同制作と呼べるまた別の作品制作モードがある。このモードでは、制作者は、システム２０側に、自分が指定したものとは異なる叙述節１２Ａ又はその連なりを探して提案するよう求めることができる。この場合、システム２０は、制作者が指定した幾つかの話題又は節１２Ａを始点とし、他の制作者による叙述でよく採用されている関連付け形態及びパターンに基づき推論クエリ１８Ａを生成し、更にそのクエリ１８Ａを使用し検索を行う。システム２０は、その検索の結果に基づき、節１２Ａ又はその連なり並びにそれに対応するファイル１２Ｃ及び１６Ｂについての提案を行う。
【０２１０】
この制作者・システム間共同制作モード、即ちシステム２０側からの支援を受け制作者が制作するモードに関し大切なことの一つは、制作者にとり価値がありそうな叙述節１２Ａ並びにファイル１２Ｃ及び１６Ｂをシステム２０側で見つけ出す動作が、作品１０に関する上述のデータベースの脈絡に沿い、且つシステム２０向けに規定されている関連付けルール群及び重要性関係に従い、関連付け形態及びパターンを検索することで実行されることである。もう一つは、システム２０における検索の動作及び結果が、その検索に使用される検索機構の中身に基本的に依存しないことである。即ち、システム２０の動作は検索技術に左右されにくく、人工知能法、パターン認識法、過去の行為乃至選択を調べ制作者や視聴者が好む行為を推定するシステム等、様々な技術で同等に検索を実行することができる。
【０２１１】
制作者・システム間共同制作モードでの作品１０の制作は、より詳しくは次のように行われる。この制作では、まず、制作者が初期的な叙述節１２Ａや叙述上の話題を幾つか指定又は示唆する。これに応じ、システム２０は、その作品１０にとり制約となるその他の情報の入力を求める。その例は上限費用や最終出力関連情報である。最終出力関連情報とは、例えば、その出力は個人用かそれとも商用か、どの程度の受信者数が予測されるか、上演地はどこか、その出力が知的財産権付の営利頒布用作品１０なのかそれとも家族や身内に向けた無料作品１０なのか、等といった事項に関する情報のことである。
【０２１２】
これらの情報が全て入力されると、本システムは、それらに基づき制作者の意向に沿った叙述構造１４Ａを幾通りか示し、指定された叙述節１２Ａ並びにそれに対応するファイル１２Ｃ及び１６Ｂをそれらの構造１４Ａに沿い並べて示す。その形態としては、示されている構造１４Ａ、叙述情報ファイル１２Ｃ及び脈絡情報ファイル１６Ｂのなかから必要なものを制作者が容易に選択できる形態を使用する。
【０２１３】
制作者・システム間共同制作モードには上述のものとは別の形態もある。即ち、叙述上の話題、叙述節１２Ａ、ファイル１２Ｃ及び１６Ｂ等の選定条件を制作者が指定する形態である。システム２０は、これを受け、制作者が指定した条件を満たす一群の構成要素、例えば叙述上の話題、節１２Ａ、ファイル１２Ｃ及び１６Ｂ等を選定する。次いで、システム２０は、自ら構築した動的な叙述構造１４Ａに従い、それら選定済の構成要素を配列する。その上で、システム２０は得られた作品１０を表示させる。表示される作品１０には、選定した構成要素全てが、その構造１４Ａに従い且つ順に入れ替わりつつ現れる。即ち、表示される作品１０では、その作品１０の叙述から外れないながらも、制作者の嗜好、登場人物の性質を示すコンテンツ１２Ｂ乃至１６Ａ、実演者の嗜好、視聴者の嗜好等が縦貫的に示されるような形態で、様々な節１２Ａやファイル１２Ｃ乃至１６Ｂが一定周期で入れ替わる。
【０２１４】
（ｉｉ）作品１０を生成する方法の例  …  図２０
次に、本実施形態で使用可能な諸作品制作モードに関するこれまでの説明を踏まえ、またフローチャートたる図２０を参照しつつ、作品１０を生成する方法について例示説明する。
【０２１５】
図２０に、本実施形態における作品生成方法の例を示す。本方法では、その冒頭にあるステップ４５０にて、制作者に個人的な叙述コンテンツ１２Ｂの入力を求める。システム２０は、入力されたコンテンツ１２Ｂによって明示又は暗示されている事項を踏まえ、作品１０を縦貫する粗筋１２Ｐに沿って並ぶ幾つかの叙述節１２Ａを推定乃至画定する。この処理は上述の方法に従い実行される。即ち、システム２０が、推論クエリ１８Ａを生成、実行して回答を取得し、その回答で示されたファイル１２Ｃに基づき相応する脈絡コンテンツ１６Ａ及び脈絡情報ファイル１６Ｂを個々の節１２Ａに関連付けることで、個々の節１２Ａ毎に脈絡を設定する。
【０２１６】
こうした処理が行われるので、最初のステップ４５０で制作者が供給する必要があるのは、作品１０の種別乃至種類が写真アルバムであるといった情報のみである。
【０２１７】
ステップ４５２では、編集ツールを使用して作業を行うか否かについて制作者の判断を求める。否と判断された場合、ステップ４５４にて、制作者が与えた個人的な叙述コンテンツに基づく推論クエリ１８Ａへの回答１８Ｒそのもの、或いは全自動システムによる生成動作の産物を、最終的な作品１０として扱うことにする。
【０２１８】
編集ツール使用と判断された場合は、判別ステップ４５６にて、手動編集ツールを使用するのかそれとも全自動編集ツールを使用するのかを制作者に選択させる。
【０２１９】
判別ステップ４５６にて全自動ツールが選択されるのは、通常、互いに競合する様々なバージョンの叙述節１２Ａのなかから手動操作又はツールの併用で最終バージョンを選定することで編集を行いたい、という意図を制作者が持っている場合である。そこで、ステップ４５８から判別ステップ４６０へと移行する。
【０２２０】
判別ステップ４６０では、ステップ４６２のルールベース法かそれともステップ４６４のランダム法かの選択を求める。本実施形態で重要なことは、上述した幾つかのシステム内ルール、作品１０の制作原理、手動操作及びランダム法を叙述節１２Ａにどの程度の度合いで反映させるか、選択肢を設けうることである。
【０２２１】
ステップ４６６では、そこで、前段落で述べた度合いをどの程度にし、その度合いまでどのツールを適用するかを制作者に判断してもらう。
【０２２２】
ツール追加と判断された場合は、ステップ４５６に戻り、制作者に追加希望ツールの指定を求める。ツールが指定された場合は、ステップ４７０、４７４又は４７８の実行要否に関し、ステップ４６８、４７２又は４７４にて制作者に判断を求める。ステップ４７０では、叙述節１２Ａに係るコンテンツを種々のサンプルレイアウトに従い表示させる。ステップ４７４では、システム２０が従来型プレゼンテーション作成ソフトウェア類似の形態でテンプレートを表示させる。ステップ４７８ではヒントや提案を提示する。
【０２２３】
ステップ４６６にて制作者が諸種ツール選定終了と判断した場合は、ステップ４８０にて、システム２０がその叙述節１２Ａに係る叙述コンテンツ１２Ｂを表示させる。この表示は、制作者がそのコンテンツ１２Ｂを対話的に操作できるよう行われる。ここで、叙述対象の表示を移動、削除、サイズ変更等することで、レイアウトを適正化することができる。
【０２２４】
判別ステップ４８２では、更に、叙述節１２Ａに係る叙述コンテンツ１２Ｂの改訂要否、即ちコンテンツ１２Ｂを改訂するステップ４８４への移行要否に関しシステム２０が判断を求める。本実施形態のステップ４８４では、重要性関係、クエリ１８Ａ乃至１８ＡＣに対する回答１８Ｒ等に基づき、システム２０がコンテンツ１２Ｂ乃至１６Ａの修正に関する提案を行う。
【０２２５】
この点に関し留意すべきことに、制作者は、随意時点で叙述節１２Ａに関する最新変更結果の取り込みを求めることができる。それを受けステップ４８６では最新変更結果を原案の一つとして取り込み、ステップ４８８ではその原案を他の諸原案と比較する。
【０２２６】
競合する原案同士の比較が済んだら、ステップ４９０にて、編集処理の終了可否に関し制作者の判断を求める。原案を更に作成してみたいと判断されたらステップ４８０に戻り、終了と判断されたらステップ４９２にて最終的な作品を提供する。
【０２２７】
例えば、与えられている粗筋１２Ｐの舞台がパリである場合、システム２０は、作品構築に当たり、まず一般的な脈絡を示す情報をまとめる。例えば、パリの地図、著名な美術工芸作品、有名なパリ音楽、エッフェル塔の歴史、エッフェル塔の高さや重さがわかるリアルな画像、エッフェル塔の頂上から撮影した写真、歴代パリ市長の描像、現パリ市長の写真、その頃その地域で起きた大ニュースの画像等についての情報である。システム２０は、更に、歴史的な価値や個人的な価値はないがその普遍性に価値があり、叙述情報ファイル１２Ｃとして使用できるファイルの所在を特定する。例えば、その頃その地域でよく見られた看板やコマーシャル、流行っている衣類、紙マッチ乃至たばこ、その季節のワイン、自動車、特徴のある窓格子や鉄柵、食品や人気のある音楽等の情報に関するファイルである。
【０２２８】
システム２０は、次いで、それらの情報と制作者の個人的な画像とを同時に提示する。これは、例えば動的なコントラストをもたらすために行う。叙述中に登場する人物から見た一般的且つ個人的な脈絡に関するこうした対比によって、さもなければ発見も認識もできなかったような面白い関係が明らかになることがある。更に、システム２０が新たに発見、提示したファイル１２Ｃ及び１６Ｂによって、制作者の記憶、気分、感情等が刺激されることもある。制作者は、そうした場合、新たな叙述節１２Ａやファイル１２Ｃ乃至１６Ｂをその作品１０に追加することができる。
【０２２９】
更に、本方法では、データベース２００〜２４０上の情報や叙述情報ファイル１２Ｃ内の情報に基づき、システム２０が、上掲の「局所的」なる分類に該当している情報のうち、未取得や事後喪失が原因でその制作者が利用できないファイルを、脈絡情報ファイル１６Ｂの候補として制作者に提案することができる。例えば、回想を通じその核心的な叙述を何らかの種の含蓄や機微に結び付けるファイルや、一般的なファイル１６Ｂを個人的な叙述に結び付けるファイルである。更に、システム２０は、局所的な脈絡コンテンツ１６Ａが利用できない場合、上述の通り、利用できる他の脈絡コンテンツ１６Ａに基づき当該局所的なコンテンツ１６Ａに見合うコンテンツ１６Ａを生成することができる。
【０２３０】
Ｌ．仮想展望空間における叙述構造及び重要性関係の表示
ここまでそのあらましを説明してきた通り、本実施形態では、重要性関係、展望及びその一例たる仮想展望の概念を導入し、叙述構造１４Ａ、叙述節１２Ａ、叙述情報ファイル１２Ｃ、脈絡情報ファイル１６Ｂ、叙述コンテンツ１２Ｂ、脈絡コンテンツ１６Ａ、作品関係者等といった要素を作品１０へと組織化乃至構造化するのに使用している。ただ、こうした仕組みで本実施形態を用い作品１０を生成するには、使用者や作品１０の制作者が参照できるようそれらの関係乃至展望を表示させる必要がある。そこで、以下の説明では、それらの関係及び展望を制作者乃至使用者向けに提示乃至表示する方法の一例について述べ、また本実施形態における重要性関係や仮想展望の役割に関しより詳細に述べることとする。
【０２３１】
まず、図１２Ｅ及び図１４Ａ〜図１４Ｄを参照して既に説明した通り、叙述節１２Ａ・叙述情報ファイル１２Ｃ間関係をシステム２０の使用者向けに表示させるには仮想展望空間、例えば検討中の叙述節１２ＡＯを原点として仮想展望２４３を表す多次元極座標空間を使用するとよい。この重要性関係表示手法を拡張し、節１２Ａ、ファイル１２Ｃ、脈絡情報ファイル１６Ｂ、作品関係者、並びに節１２Ａの関係者の間の関係を表示可能な手法とすることもできる。
【０２３２】
例えば、図１４Ｂに示したのは、本実施形態の発想、原理及び方法に従い相対的重要性や仮想展望を表示させた例である。この図では、相対的重要性や仮想展望が、図１２Ｅに基づき説明した通り、作品１０によくある叙述節１２Ａの連なりとの関わりで示されている。
【０２３３】
その次の図１４Ｃに模式的に示す通り、こうした仮想展望２４３の空間では、叙述情報ファイル１２Ｃ・叙述節１２Ａ間に存しうる様々な関係を表示乃至提示することができる。システムの使用者等は、それを受け、そうした要素や関係を操作することができる。
【０２３４】
図１４Ａ及び図１４Ｂを参照して説明した通り、極座標原点から叙述対象の位置までの距離でその叙述対象の相対的重要性を表すことができる。座標原点の近くにある叙述対象はその相対的重要性が高い。また、この例では、個々の叙述対象の絶対的重要性が、その叙述対象を表すアイコンやシンボルの大きさで表されている。叙述情報ファイル１２Ｃ・在原点叙述節１２ＡＯ間関係も、ファイル１２Ｃ・節１２ＡＯ間を結ぶ線の種類の違いを示す画像で表されている。具体的には、ファイル１２Ｃ・人物間の直接的な関係が実線、ファイル１２Ｃ・人物間の間接的な関係例えば影響は及ぼすが相互関係はない人物に係る関係が破線、ファイル１２Ｃ乃至１６Ｂ・場所間の関係が二重線で表されている。更に、叙述対象間を結ぶ線の太さで関係の強さや性質、例えばその関係の全体的且つ相対的重要性、結び付きの種類等を表すこともできる。コンピュータインタフェース分野で広く使用されているその方法や表現を使用し、コンピュータ画面上に表示されている情報をルーチン的に修正していくこともできる。
【０２３５】
図１４Ｆに、レーダビューたる図１２Ｅ及び図１４Ａ〜図１４Ｅに示した仮想展望２４３の情報がどのように画面表示されるかを示す。この例では、仮想展望２４３の案内に役立つ常套的な操作子２７９、具体的には上下左右操作子２８０や内外操作子２８１が表示されている。叙述情報ファイル群における方向付けに役立つ案内情報、具体的にはレーダビューマップ２８２も、その方向付けに役立つ象徴的表現、例えば叙述情報ファイルを示す表示同士の関係を示唆する可視表現を用い表示されている。距離、高度及びベクトル方向といった座標２８３も表示されている。ポップアップ表示２８４の形態で、絶対的重要性を暗喩的に示すサイズ指標や、相対的重要性を暗喩的に示す対看者距離指標や、局所的、個人的、一般的、象徴的等の叙述情報ファイル種別情報が表示されている。場合によっては、ポップアップ表示２８４にその叙述情報ファイルの価格、販売者、販売者とのつながり、使用条件等といった情報が組み込まれることもある。なお、ここでいうポップアップ表示２８４とは、ある条件が満たされるまでの間、意に沿わなくてもディスプレイ画面上に現れ続ける表示のことである。従来から、ポップアップ表示は媒体上の叙述対象例えば広告や商品カタログの提示を目的として使用されているが、本実施形態の様な目的で行うようにすれば、他の動作が済み関連する条件が満たされるまで、例えば必要な情報が入力されるまで、次の処理ステップへの移行等の操作を抑えておくことができる。
【０２３６】
媒体上の叙述対象を複数個、同じ個所に交番的に表示させることで、それら叙述対象間の区別を示すこともできる。例えば、同じベクトル上にある、同じ大きさである、同じ距離である等、共通する特性を有する複数個の叙述対象を共存的に表示させる場合である。こうした場合、同じ個所での交番表示が行われるのは、それらの叙述対象のうちいずれかが選択されるまでである。具体的には、マウスクリック、音声コマンド、キー押下等の入力選択でいずれかの叙述対象が選択されたらカーソル表示を反転させ、それ以後の叙述対象交番表示を停止させる。世間でよく用いられているシフトアンドクリック等の操作で、複数枚の画像等、条件を満たしている叙述対象を、順不同で選択することもできる。叙述対象の表示を時間的に交番させることに加え、時空間的に交番させることもできる。
【０２３７】
また、図１４Ｆに示したのは、高度＝４５に位置する極座標図の中央にある叙述節（即ち距離＝０）から方向＝２２０のベクトルに沿って叙述情報ファイル１２Ｃを眺めた場合に、そのファイル２２０がどのように見えるかを示す例である。こうした二次元的ユーザインタフェースに代え、三次元的ユーザインタフェースを用いることもできる。三次元的ユーザインタフェースでは高度座標も提供される。眺める先のファイル１２Ｃ乃至１６Ｂと看者との間に別のファイル１２Ｃ乃至１６Ｂがあっても、前者のコンテンツのうち後者で遮られている分を補償できるようにするためである。更に、ファイル１２Ｃ及び１６Ｂに保存されている画像を看者が鳥瞰できるよう高度座標を制御することで、ファイル１２Ｃ及び１６Ｂに保存されている画像全体を、仮想展望２４３に沿いより鮮明に看者に見せることができる。付随するズーム制御機能を使用しより詳細にその画像を調べることもできる。拡縮操作子２８５を使用することで、使用者は、画像を画面いっぱいに拡大させることや、前掲の図の如くアイコンレベルまで縮小させることができる。同様に、透明度操作子２８６を使用することで、使用者は、見たいものの手前にあり邪魔になっている画像を透視することができる。
【０２３８】
使用者は、また、操作子２８７を用い視野の広さを調整することで、問題に関わるファイル１２Ｃ及び１６Ｂの個数を増減させることができる。図１４Ａを参照して説明した通り、視野の広さを変えると図示例の表示は双曲線空間での表示となる。また、倍率を高めながら視野を狭めると、仮想展望上で互いに同じ場所を占めるように見えていた複数個の叙述対象が、互いに別の場所を占めるように見えてくる。
【０２３９】
更に、仮想展望２４３を用い表したファイル１２Ｃ及び１６Ｂの相対位置が指示子２８９付の対数スケール２８８で表され、そのスケール２８８上に存する線状の指示子２８９の長さで仮想的な距離と共に水平方向の変位が表されているので、それらを利用し、ファイル１２Ｃ及び１６Ｂのより精細な相対位置を読み取ることができる。
【０２４０】
また、媒体コンテンツ種別指示子２９０を参照することで、見た目には時変的コンテンツであることがわかりにくいコンテンツでも、そのコンテンツが音声、動画等の時変的コンテンツであることを明察することができる。図１４Ｂ〜図１４Ｄに示した矢印２７７付の線を、ここでも、視覚的な関係指示子として参照することができる。
【０２４１】
そして、ホーム操作子２９２を操作することで、設定をデフォルトの状態及び視点にリセットすることができる。これを、コンピュータ用オペレーティングシステムの使用者にとり自明な種々の機能、例えばバックトラックコマンド、操作子カスタマイズ、画像移動・画像操作等と併せ活用することで、このインタフェースの使用者は、ファイル１２Ｃ及び１６Ｂの重要性に対するシステム評価を正すことができる。
【０２４２】
図２２Ａに、仮想展望の利用に適する操作子付ＧＵＩの別例を示す。これらを使用することで、仮想風景の表示やその表示を用いた案内を好適に実行することができる。
【０２４３】
これらの操作子は、どの叙述対象を選定しどの叙述対象を表示させるかを管理する手段である。図示例のように摺動操作子状であれば、それを使用し、個人的重要性ベクトル２４９に沿った線上である一点、ある長さの区画等を選定することができる。図示例における摺動操作子は対数スケール２８８沿いに表示されており、もたらされる仮想展望をその操作で直に変化させることができる。それらのうち相対的重要性の程度を指し示す第１の摺動操作子７００はグレー、スケール２８８に沿い相対的重要性の上限を指し示す第２の摺動操作子７１０はブラック、同じスケール２８８に沿い相対的重要性の下限を指し示す第３の摺動操作子７２０はホワイトで表示される。第１の摺動操作子たる相対的重要性摺動操作子７００は、付される数字が昇順か降順かを問わず、その最強値（ここでは１００）から最弱値（ここでは０）に至る範囲内で相対的重要性を例えば７３等と指し示すことができるものであれば、どのような物差しによるものでもよい。範囲ロック操作子７３０は例えばグリーンの発光ボタンとして表示される。制御動作が行われているときには、摺動操作子７１０、７２０及び７３０で指定した範囲全体が画面上に表示される。
【０２４４】
図２２Ｂに、相対的重要性ではなく絶対的重要性に基づき叙述対象を表示・選定する操作を示す。この図に示す操作子には、絶対的重要性の表示対象に関し上限を設定できるように上限操作領域７４０が付加されており、またどのような上限が設定されているのかを指し示す上限表示領域７５０が付加されている。これに対応し、同様の下限操作領域７６０及び下限表示領域７７０も付加されている。領域７５０及び７７０で使用する指標は任意に定めることができる。０〜１０、０〜１００等、使用可能な領域を指し示しうるものであればよい。図示例で使用している指標は０〜１０の範囲を値域としているので、上限を１０より低い値に設定することで、大きすぎる叙述対象があればそれを除外することができる。更に、その上限近くの高い値に下限を設定することで、叙述対象のうち大きめのもののみを表示させ小さめのものを省くことができる。
【０２４５】
図２２Ｃに、範囲ロック操作子７３０の使用で生じうる効果を示す。図示通り操作子７３０を設定すると、対数スケール２８８沿いの可読範囲が０〜１００から０〜５５に狭まる。それと共に、上限を指し示す摺動操作子７１０及び下限を指し示す摺動操作子７２０の表示位置が、その狭められた可読範囲の端部へと移動し、また叙述対象を示す画像が、その可読範囲内の対応する個所に移動する。
【０２４６】
図２３Ａに、図２２Ａ〜図２２Ｃに示したものと同様のレーダビューマップ２８２を用い叙述対象を選択し表示させる操作を示す。この例では、表示されている要素上にカーソルＣを位置決めすると、システムがそれに反応してグラフィカルツール７８０を表示させるので、位置決め先の要素例えば円２７３の周を操作することができる。即ち、使用者がカーソルＣを円２７３のうち最外周のものの上に置くと、同心をなす円２７３の位置及び個数に基づき、個人的、局所的乃至一般的重要性が備わる広い領域や、個人的重要性ベクトルに沿った相対的重要性の度合いが、使用者の望み通りに特定されることとなる。より具体的には、円２７３の直径やその内側における円間隔７８５が増減するよう、図２２Ｂに示したスケール操作等によって円２７３を内側又は外側に動かすことができる。重要性ベクトル沿いに表示される画像の個数が増減するよう、円２７３の中心を移動させることもできる。
【０２４７】
図２３Ｂに、最外周の円２７３上に置いたカーソルＣを動かし、円２７３の周を以前の周７９０から新たな周に変化させて円間隔７８５を拡げる操作を示す。この操作により、システム側でそれまであまり重要でないと見なしていた要素が、新たに画面上に表示されるようになる。
【０２４８】
図２３Ｃに、グラフィカルツール７９５を用い視点を変える操作を示す。視点の変更には、視点の原点となるべき叙述節１２ＡをカーソルＣで指定し、キー押下、マウスクリック又はそれに類する操作を行えばよい。なお、この図では十字状のツール７９５が使用されているが、それ以外のグラフィカルな指示子を用いることもできる。
【０２４９】
図２３Ｄに、使用者によるカーソルＣの移動に応じ叙述節のコピー７９７を仮想展望空間内の別の位置に動かす操作を示す。こうして仮想風景内の別の場所にコピー７９７を動かすことで、例えば、実際の節１２Ａに対する叙述対象のリンクや相対的関係を保持しつつ、日付に関し別の視点を導入することができる。この移動は、脈絡を別の視点から眺めてより正しく理解するのに役立つことがある。
【０２５０】
そして、図２４に、仮想風景を生成すべく移動・選択が行われているＧＵＩを示す。まず、このＧＵＩ上では移動が動線８００によって表示される。動線８００は便利なものであり、その線８００と叙述対象やそのアイコンのどちらが手前にあるのかを見ることで、ファイル１２Ｃ乃至１６Ｂ間の遠近関係を知ることができる。次いで、上から降るように移動してきた叙述対象又はそのアイコン８１０にカーソルＣを重ね、マウスクリック、キー押下等の選択操作を行うと、その叙述対象が選択されるとともに、その選択が行われたことを示す指示子例えば鍵アイコン８２０が表示される。その鍵アイコン８２０は、少なくともその叙述対象に係るファイル１２Ｃ乃至１６Ｂがこの仮想風景に統合されるまでは表示され続ける。なお、この例では、仮想風景平面に対する視点高度座標２８３の値が小さいため、叙述対象やそのアイコンが互いに重なり合いやすくなっており、また対数スケール２８８の長さが短くなっている。
【０２５１】
移動及び選択で仮想風景を生成する処理に関し理解すべき点としては、更に、仮想展望空間での移動という考え方が、作品１０の構成要素に備わる相対的重要性を表示させる上で重要な特徴である、という点がある。これは、視点からの距離及びベクトル方向が有意な座標値であるため、作品１０の構成要素に備わる相対的重要性やその構成要素の分類を変化させたときに生じる移動が、その土台となっている情報の変化を反映したかたちで表示される、ということである。例えば、新たな情報が得られた結果、システム側で算出される相対的重要性の程度に変化が生じると、その結果に応じ叙述対象かそのアイコンが動かされ、それらの間の遠近関係が変化する。
【０２５２】
二次元表示の場合、例えば、そうした叙述対象乃至アイコンを画面表示に徐々に組み込ませるようにする。雨だれのように上から降らせるとよい。降ってきた叙述対象乃至アイコンは、使用者がその意義を認めるであろう鉛直方向位置、即ちその叙述対象に備わるある特定の側面を表現しうる位置で停止させる。仮に、鉛直ベクトルを用いその叙述対象に備わる有意な側面を表し、極座標ベクトルに対し東西南北の各方向を割り当てたとすると、一般に無矛盾とされているユークリッド規約によれば、その鉛直ベクトルによって叙述節１２Ａの視点に対する高度乃至深度が示されることとなろう。こうした表示であれば、ファイル１２Ｃ乃至１６Ｂをオンザフライ的に選択することが可能である。例えば、ファイル１２Ｃ乃至１６Ｂを表す画像やアイコンが降ってきたときそれをクリックすることで、そのファイル１２Ｃ乃至１６Ｂを仮想風景への組入対象として選択することができる。クリックされなかった画像乃至アイコンは床を突き抜けるかのように画面から消えていき、それに係るファイル１２Ｃ乃至１６Ｂは選択されないままとなる。また、これとは逆の効果をデフォルト設定しておくこともできる。即ち、クリックにより選択されるまでは、ファイル１２Ｃ乃至１６Ｂの表示を画面の下縁上に残しておく、といった設定である。
【０２５３】
ファイル１２Ｃ乃至１６Ｂを示す画像乃至アイコンを上から降らせる際、下降速度、下降速度変化率、下降経路等を変化させてその動きに角度や揺らぎを持たせることもできる。その動き方で、ファイル１２Ｃ乃至１６Ｂ内コンテンツに備わる特性を好適に表現することができる。
【０２５４】
これらの動かし方は、三次元表示にも同等に適用することができる。その際、叙述対象やそのアイコンが配置される仮想空間が特定の面に固定されないので、より多数の擬似空間ベクトルを使用し叙述対象を組織化することができる。また、三次元表示では叙述対象やそのアイコンの集まりで一種の雲が形成され、その雲のなかを視点が浮遊することとなる。その雲のなかでは、叙述対象やそのアイコンが単層的周回運動、複層的周回運動等の相対運動を呈する。
【０２５５】
また、視点も移動させることができる。例えば、使用者が指定した速度で回転させることができる。視点を移動させると全ての叙述対象が見かけ上移動するので、時間をかけて様々なベクトル沿いに様々な叙述対象乃至アイコンを観察することができる。
【０２５６】
そして、叙述対象を表す画像乃至アイコン自体に動的側面を持たせること、例えば何か特定の運動をさせることもできる。振動させてもよいし、自転や公転をさせてもよい。幾本かの軸に沿い屈曲運動させてもよい。手や足を振る、唇を動かす等、その一部が動いて見えるようにアニメーションを加えてもよい。形状、色調、強度、彩度、透明度等、質的に変化させてもよい。
【０２５７】
図２５に、仮想展望２４３からある叙述節１２Ａを巡り仮想展望３６２へと別の叙述節１２Ａに基づき移動させる際に使用されるＧＵＩを示す。その節表示部８５０には、鉄道に沿いに幾つかの駅舎が並ぶのと同様の形態で、粗筋１２Ｐ沿いに複数個の節１２Ａが順に表示されている。また、この表示部８５０には、現在どの節１２Ａに係る仮想風景が表示されているのかを指し示す現在節指示子８６０や、次にどの節１２Ａに係る仮想風景が表示されのかを指し示すプリビュー節指示子８７０も表示されている。
【０２５８】
こうした節表示部８５０による表示は案内に役立つものである。この例では、更に、単純に次節へ移動させるための操作子８８０や前節に移動させるための操作子８９０のほか、叙述節１２Ａを見つけるための操作子も追加されている。例えば、操作子８７０でプリビュー節を指定すると、或いは現在節指示子８６０及び操作子８７０の双方で同一の節１２Ａを指定すると、その節１２Ａに関する基本的な情報が表示されることとなる。また、仮想風景が上述の如くその核心をなす節１２Ａを中心にして構築される。図中のウィンドウ９００には、現在核心となっている節１２Ａやその節１２Ａに係るファイル１２Ｃ乃至１６Ｂであって他媒体上に存するものが表示される。同様に、図中のウィンドウ９１０にはその節１２Ａを構成するテキスト情報、ウィンドウ９２０には音楽情報が表示される。ウィンドウ９３０には、表示乃至プリビューしようとしている節１２Ａを示す画像乃至アイコンが表示される。これら、テキスト情報や音楽情報をプリビューするためのウィンドウは更に増やすことができる。台本を表示するウィンドウを設けることもできる。素材種別毎のウィンドウ個数に理論的限界はないので、核心となっている節１２Ａに関し、テキスト用、画像用、音声用、台本用等のウィンドウを各複数個設けることもできる。その形態としては、Ｍａｃｒｏｍｅｄｉａ（登録商標）Ｄｉｒｅｃｔｏｒ（商標）と同様の形態を使用することができる。
【０２５９】
また、指示乃至指定先を別の叙述節１２Ａへと変更中であることを、表示させることも表示させないようにすることも可能である。前者の場合、指示乃至指定先が瞬間的に変化することとなる。後者の場合、新たな叙述対象が視野内に下降する一方で適切でなくなった叙述対象が視野外に下降する。例えば、前者がフェードインする一方で後者がフェードアウトする。更に、指示乃至指定される節１２Ａの変更を、急峻な動きを伴う形態で表示させてもよいし、ファイル１２Ｃ乃至１６Ｂの位置が連続的に補間される形態で表示させてもよい。
【０２６０】
同様に、レーダビュー表示においては、要に位置する視点を示す叙述節１２Ａをその表示の中央に留めつつ、その周りにある諸叙述対象のうち、使用者が注意を払っている叙述節１２Ａにリンクしているものを視野に流入乃至フェードインさせ、リンクしていないものをその視野からフェードアウトさせることができる。移動先の節を前節や次節とすることも、現在の叙述線から分かれた叙述線上にある節とすることもできる。特定の節からその視点を見たとき中間にある節をスキップする選択肢を設けることもできる。
【０２６１】
また、ＧＵＩを用いた視点の移動先を叙述対象の内部とし、その叙述対象の内部構成要素例えば一区画を表示させることもできる。内部構成要素といえるのは、その叙述対象が静止画や動画なら特定人物、場所、物体等の画像であり、文書通信や音声通話なら特定の一節、段落、文章、言い回し等であり、楽曲ならその旋律、楽章等である。叙述対象それ自体が書籍、映画、音楽作品等のように叙述構造１４Ａを有するものである場合や、現在の検索・表示条件に関し同等な価値を有する叙述対象の集まりである場合には、互いに等価な構成要素の配列もその叙述対象の内部構成要素に該当しうる。
【０２６２】
そして、叙述節１２Ａ・ファイル１２Ｃ及び１６Ｂ間リンクをディスプレイに表示させることや、節１２Ａやファイル１２Ｃ乃至１６Ｂのうちカーソルで指定されたものについての情報をポップアップボックス内に表示させることもできる。同様に、対応する画像乃至アイコンの外観を変化させることで、節１２Ａ又はファイル１２Ｃ乃至１６Ｂについての情報を届けることもできる。例えば、その画像乃至アイコンの色変化、歪み、移動、画像乃至音声特性例えば色調、彩度乃至強度等を変化させればよい。
【図１】
2012513062.tif 000003
【図２】
2012513062.tif 000004
【図３Ａ】
2012513062.tif 000005
【図３Ｂ】
2012513062.tif 000006
【図４】
2012513062.tif 000007
【図５】
2012513062.tif 000008
【図６】
2012513062.tif 000009
【図７】
2012513062.tif 000010
【図８】
2012513062.tif 000011
【図９】
2012513062.tif 000012
【図１０】
2012513062.tif 000013
【図１１】
2012513062.tif 000014
【図１２Ａ】
2012513062.tif 000015
【図１２Ｂ】
2012513062.tif 000016
【図１２Ｃ】
2012513062.tif 000017
【図１２Ｄ】
2012513062.tif 000018
【図１２Ｅ】
2012513062.tif 000019
【図１３】
2012513062.tif 000020
【図１４Ａ】
2012513062.tif 000021
【図１４Ｂ】
2012513062.tif 000022
【図１４Ｃ】
2012513062.tif 000023
【図１４Ｄ】
2012513062.tif 000024
【図１４Ｅ】
2012513062.tif 000025
【図１４Ｆ】
2012513062.tif 000026
【図１５Ａ】
2012513062.tif 000027
【図１６】
2012513062.tif 000028
【図１７】
2012513062.tif 000029
【図１８】
2012513062.tif 000030
【図１９】
2012513062.tif 000031
【図２０】
2012513062.tif 000032
【図２１Ａ】
2012513062.tif 000033
【図２１Ｂ】
2012513062.tif 000034
【図２２Ａ】
2012513062.tif 000035
【図２２Ｂ】
2012513062.tif 000036
【図２２Ｃ】
2012513062.tif 000037
【図２３Ａ】
2012513062.tif 000038
【図２３Ｂ】
2012513062.tif 000039
【図２３Ｃ】
2012513062.tif 000040
【図２３Ｄ】
2012513062.tif 000041
【図２４】
2012513062.tif 000042
【図２５】
2012513062.tif 000043
【国際調査報告】
2012513062.tif 000044
2012513062.tif 000045
2012513062.tif 000046
2012513062.tif 000047
2012513062.tif 000048